(57)【要約】【課題】制御チャンネルエレメントに対するアグリゲーションレベルの個数調整装置及び方法を提供する。【解決手段】ユーザー端末(ＵＥ)によるデータ受信又はデータ送信をスケジューリングするダウンリンク制御情報(ＤＣＩ)フォーマットを伝達する物理ダウンリンク制御チャンネル(ＰＤＣＣＨ)を基地局が送信し、ＵＥが検出する方法及び装置が提供される。このＤＣＩフォーマット送信のための最大符号化レートに基づき、あるいはスケジューリング帯域幅に基づき、第１のＤＣＩフォーマットのためのＣＣＥの第１の集合のうちの複数の制御チャンネルエレメント(ＣＣＥ)と第２のＤＣＩフォーマットのためのＣＣＥの第２の集合のうちの複数のＣＣＥとを用いて、基地局はＰＤＣＣＨを送信し、ＵＥは候補ＰＤＣＣＨを復号化する。【選択図】図７
2014053893.tif 000002
【特許請求の範囲】
【請求項１】
制御チャンネルエレメント(ＣＣＥ)の集合のうちの複数のＣＣＥで、送信時間区間で、変調方式を使用して基地局により送信され、ダウンリンク制御情報(ＤＣＩ)フォーマットを伝達する物理ダウンリンク制御チャンネル(ＰＤＣＣＨ)をユーザー端末(ＵＥ)が復号化する方法であって、
ＣＣＥで利用可能なサブキャリアの個数を決定するステップと、
第１のＤＣＩフォーマットサイズと、利用可能なサブキャリアの個数と前記変調方式の次数との積との比として定義される第１の符号化レートが所定の値より小さいか等しい場合、第１のＤＣＩフォーマットに対する候補ＰＤＣＣＨをＣＣＥの第１の集合のうちの複数のＣＣＥの間に復号化するステップと、
前記第１の符号化レートが前記所定の値より大きい場合、前記第１のＤＣＩフォーマットに対する候補ＰＤＣＣＨをＣＣＥの第２の集合のうちの複数のＣＣＥの間に復号化するステップと、
第２のＤＣＩフォーマットサイズと、利用可能なサブキャリアの個数と前記変調方式の次数との積との比として定義される第２の符号化レートが所定の値より小さいか等しい場合、第２のＤＣＩフォーマットに対する候補ＰＤＣＣＨを前記ＣＣＥの第１の集合のうちの複数のＣＣＥの間に復号化するステップと、
前記第２の符号化レートが前記所定の値より大きい場合、前記第２のＤＣＩフォーマットに対する候補ＰＤＣＣＨを前記ＣＣＥの第２の集合のうちの複数のＣＣＥの間に復号化するステップと、を有し、
前記ＣＣＥは、物理リソースブロック(ＰＲＢ)対の集合のうちの一つ以上のＰＲＢ対に位置し、
各ＣＣＥは、ＰＤＣＣＨ送信に対して利用可能な複数のサブキャリアを含み、
各ＰＲＢ対は、前記送信時間区間で複数のサブキャリアを含むことを特徴とする方法。
【請求項２】
前記ＵＥは、基準信号を送信するために使用されることが前記基地局から前記ＵＥに通知されるサブキャリアを除外し、かつ、前記送信時間区間の開始部分で第１個数の送信シンボルで他のチャンネルを送信するために使用されることが前記基地局から前記ＵＥに通知されるサブキャリアを除外することによって、ＣＣＥの所定個数のサブキャリアのうちの利用可能なサブキャリアの個数を決定することを特徴とする請求項１に記載の方法。
【請求項３】
前記ＣＣＥで利用可能なサブキャリアの個数は、時間で反復される送信時間区間の集合のうちの各送信時間区間に対して前記基地局により前記ＵＥにシグナリングされることを特徴とする請求項１に記載の方法。
【請求項４】
前記一つ以上のＰＲＢ対に位置する少なくとも２個のＣＣＥは、相互に異なる個数の利用可能なサブキャリアを有し、
第１の符号化レート及び第２の符号化レートは、最小個数の利用可能なサブキャリアを有するＣＣＥを用いて決定されることを特徴とする請求項１に記載の方法。
【請求項５】
制御チャンネルエレメント(ＣＣＥ)の集合のうちの複数のＣＣＥで、送信時間区間で基地局により送信され、ダウンリンク制御情報(ＤＣＩ)フォーマットを伝達する物理ダウンリンク制御チャンネル(ＰＤＣＣＨ)をユーザー端末(ＵＥ)が復号化する方法であって、
ダウンリンク帯域幅を決定するステップと、
前記ダウンリンク帯域幅のＣＣＥの第１の集合のうちの複数のＣＣＥの間に第１のＤＣＩフォーマットに対する候補ＰＤＣＣＨを独立的に復号化するステップと、
前記ダウンリンク帯域幅が所定の値より小さい場合に前記ＣＣＥの第１の集合のうちの複数のＣＣＥの間、又は前記ダウンリンク帯域幅が前記所定の値より大きいか等しい場合にＣＣＥの第２の集合のうちの複数のＣＣＥの間に、第２のＤＣＩフォーマットに対する候補ＰＤＣＣＨを復号化するステップと、を有し、
前記ＣＣＥは、物理リソースブロック(ＰＲＢ)対の集合のうちの一つ以上のＰＲＢ対に位置し、
各ＣＣＥは、ＰＤＣＣＨ送信に対して利用可能な複数のサブキャリアを含み、
各ＰＲＢ対は、前記送信時間区間で複数のサブキャリアを含み、
前記ＤＣＩフォーマットは、ダウンリンク帯域幅で前記ＵＥによる物理ダウンリンク共有チャンネル(ＰＤＳＣＨ)の受信をスケジューリングすることを特徴とする方法。
【請求項６】
前記第２のＤＣＩフォーマットサイズは、前記第１のＤＣＩフォーマットサイズより大きいことを特徴とする請求項５に記載の方法。
【請求項７】
前記ダウンリンク帯域幅が５０個のリソースブロック(ＲＢ)を含み、各ＲＢが１２個のサブキャリアを含む場合、前記第２のＤＣＩフォーマットは、前記ＣＣＥの第２の集合のうちの複数のＣＣＥの間に復号化され、
前記ダウンリンク帯域幅が６個のＲＢを含む場合、前記第２のＤＣＩフォーマットは、前記ＣＣＥの第１の集合のうちの複数のＣＣＥの間に復号化されることを特徴とする請求項５に記載の方法。
【請求項８】
前記ＣＣＥの第１の集合での最小番号は、前記ＣＣＥの第２の集合での最小番号より小さく、
前記ＣＣＥの第１の集合での最大番号は、前記ＣＣＥの第２の集合での最大番号より小さいことを特徴とする請求項５に記載の方法。
【請求項９】
前記ＣＣＥの第１の集合は{１，２，４，８}であり、
前記ＣＣＥの第２の集合は{２，４，８，１６}であることを特徴とする請求項８に記載の方法。
【請求項１０】
基地局が送信時間区間で物理ダウンリンク制御チャンネル(ＰＤＣＣＨ)をユーザー端末(ＵＥ)に送信する方法であって、
制御チャンネルエレメント(ＣＣＥ)で利用可能なサブキャリアの個数を決定するステップと、
第１のダウンリンク制御情報(ＤＣＩ)フォーマットサイズと、利用可能なサブキャリアの個数と変調方式の次数との積との比として定義される第１の符号化レートが所定の値より小さいか等しい場合、ＣＣＥの第１の集合のうちの複数のＣＣＥの間に第１のＤＣＩフォーマットに対する第１のＰＤＣＣＨを送信し、又は前記第１の符号化レートが前記所定の値より大きい場合、ＣＣＥの第２の集合のうちの複数のＣＣＥの間に前記第１のＤＣＩフォーマットに対する前記第１のＰＤＣＣＨを送信するステップと、
第２のＤＣＩフォーマットサイズと、利用可能なサブキャリアの個数と前記変調方式の次数との積との比として定義される第２の符号化レートが所定の値より小さいか等しい場合、前記ＣＣＥの第１の集合のうちの複数のＣＣＥの間に第２のＤＣＩフォーマットに対する第２のＰＤＣＣＨを送信し、又は前記第２の符号化レートが前記所定の値より大きい場合、前記ＣＣＥの第２の集合のうちの複数のＣＣＥの間に前記第２のＤＣＩフォーマットに対する前記第２のＰＤＣＣＨを送信するステップと、を有し、
前記ＰＤＣＣＨは、ＤＣＩフォーマットを伝達し、ＣＣＥの集合のうちの複数のＣＣＥで変調方式を使用して送信され、
前記ＣＣＥは、物理リソースブロック(ＰＲＢ)対の集合のうちの一つ以上のＰＲＢ対に位置し、
各ＣＣＥは、ＰＤＣＣＨ送信に対する複数の利用可能なサブキャリアを含み、
各ＰＲＢ対は、前記送信時間区間で複数のサブキャリアを含むことを特徴とする方法。
【請求項１１】
前記基地局は、基準信号を送信するために使用されるサブキャリアを除外し、かつ、前記送信時間区間の開始部分で第１個数の送信シンボルで他のチャンネルを送信するために使用されるサブキャリアを除外することによって、ＣＣＥの所定個数のサブキャリアのうちの利用可能なサブキャリアの個数を決定することを特徴とする請求項１０に記載の方法。
【請求項１２】
前記基地局は、時間で反復される送信時間区間の集合のうちの各送信時間区間に対して利用可能なサブキャリアの個数を前記ＵＥに直接シグナリングすることを特徴とする請求項１０に記載の方法。
【請求項１３】
前記一つ以上のＰＲＢ対に位置する少なくとも２個のＣＣＥは、異なる個数の利用可能なサブキャリアを有し、
第１の符号化レート及び第２の符号化レートは、最小個数の利用可能なサブキャリアを有するＣＣＥを用いて決定されることを特徴とする請求項１０に記載の方法。
【請求項１４】
基地局が送信時間区間で物理ダウンリンク制御チャンネル(ＰＤＣＣＨ)をユーザー端末(ＵＥ)に送信する方法であって、
ダウンリンク帯域幅での動作のために前記基地局を構成するステップと、
前記ダウンリンク帯域幅の制御チャンネルエレメント(ＣＣＥ)の第１の集合のうちの複数のＣＣＥの間に第１のダウンリンク制御情報(ＤＣＩ)フォーマットに対するＰＤＣＣＨを独立的に送信するステップと、
前記ダウンリンク帯域幅が所定の値より小さい場合に前記ＣＣＥの第１の集合のうちの複数のＣＣＥの間、又は前記ダウンリンク帯域幅が前記所定の値より大きいか等しい場合にＣＣＥの第２の集合のうちの複数のＣＣＥの間に、第２のＤＣＩフォーマットに対するＰＤＣＣＨを送信するステップと、を有し、
前記ＰＤＣＣＨは、ＤＣＩフォーマットを伝達し、ＣＣＥの集合のうちの複数のＣＣＥで送信され、
前記ＣＣＥは、物理リソースブロック(ＰＲＢ)対の集合のうちの一つ以上のＰＲＢ対に位置し、
各ＣＣＥは、ＰＤＣＣＨ送信に対する複数の利用可能なサブキャリアを含み、
各ＰＲＢ対は、前記送信時間区間で複数のサブキャリアを含み、
前記ＤＣＩフォーマットは、ダウンリンク帯域幅で物理ダウンリンク共有チャンネル(ＰＤＳＣＨ)の前記ＵＥによる受信をスケジューリングすることを特徴とする方法。
【請求項１５】
前記第２のＤＣＩフォーマットサイズは、前記第１のＤＣＩフォーマットサイズより大きいことを特徴とする請求項１４に記載の方法。
【請求項１６】
前記ダウンリンク帯域幅が５０個のリソースブロック(ＲＢ)を含み、各ＲＢが１２個のサブキャリアを含む場合、前記第２のＤＣＩフォーマットは、前記ＣＣＥの第２の集合のうちの複数のＣＣＥの間に復号化され、
前記ダウンリンク帯域幅が６個のＲＢを含む場合、前記第２のＤＣＩフォーマットは、前記ＣＣＥの第１の集合のうちの複数のＣＣＥの間に復号化されることを特徴とする請求項１４に記載の方法。
【請求項１７】
前記ＣＣＥの第１の集合での最小番号は、前記ＣＣＥの第２の集合での最小番号より小さく、
前記ＣＣＥの第１の集合での最大番号は、前記ＣＣＥの第２の集合での最大番号より小さいことを特徴とする請求項１４に記載の方法。
【請求項１８】
前記ＣＣＥの第１の集合は{１，２，４，８}であり、
前記ＣＣＥの第２の集合は{２，４，８，１６}であることを特徴とする請求項１７に記載の方法。
【請求項１９】
制御チャンネルエレメント(ＣＣＥ)の集合のうちの複数のＣＣＥで、送信時間区間で、変調方式を使用して基地局により送信され、ダウンリンク制御情報(ＤＣＩ)フォーマットを伝達する物理ダウンリンク制御チャンネル(ＰＤＣＣＨ)を復号化するユーザー端末(ＵＥ)装置であって、
ＣＣＥで利用可能なサブキャリアの個数を決定するコンピューティングユニットと、
候補ＰＤＣＣＨを復号化するデコーダと、を含み、
前記ＣＣＥは、物理リソースブロック(ＰＲＢ)対の集合のうちの一つ以上のＰＲＢ対に位置し、
各ＣＣＥは、ＰＤＣＣＨ送信に対する複数の利用可能なサブキャリアを含み、
各ＰＲＢ対は、前記送信時間区間で複数のサブキャリアを含み、
前記デコーダは、
第１のＤＣＩフォーマットサイズと、利用可能なサブキャリアの個数と前記変調方式の次数との積との比として定義される第１の符号化レートが所定の値より小さいか等しい場合、ＣＣＥの第１の集合のうちの複数のＣＣＥの間に第１のＤＣＩフォーマットに対する候補ＰＤＣＣＨを復号化し、
前記第１の符号化レートが前記所定の値より大きい場合、ＣＣＥの第２の集合のうちの複数のＣＣＥの間に前記第１のＤＣＩフォーマットに対する候補ＰＤＣＣＨを復号化し、
第２のＤＣＩフォーマットサイズと、利用可能なサブキャリアの個数と前記変調方式の次数との積との比として定義される第２の符号化レートが所定の値より小さいか等しい場合、前記ＣＣＥの第１の集合のうちの複数のＣＣＥの間に第２のＤＣＩフォーマットに対する候補ＰＤＣＣＨを復号化し、
前記第２の符号化レートが前記所定の値より大きい場合、前記ＣＣＥの第２の集合のうちの複数のＣＣＥの間に前記第２のＤＣＩフォーマットに対する候補ＰＤＣＣＨを復号化することを特徴とする装置。
【請求項２０】
ＣＣＥで利用可能なサブキャリアの個数は、基準信号を送信するために使用されることが前記基地局から前記ＵＥ装置に通知されるサブキャリアを除外し、かつ、前記送信時間区間の開始部分で第１個数の送信シンボルで他のチャンネルを送信するために使用されることが前記基地局から前記ＵＥ装置に通知されるサブキャリアを除外することにより、ＣＣＥの所定個数のサブキャリアから決定されることを特徴とする請求項１９に記載の装置。
【請求項２１】
ＣＣＥで利用可能なサブキャリアの個数は、時間で反復される送信時間区間の集合のうちの各送信時間区間に対して前記基地局により前記ＵＥ装置にシグナリングされることを特徴とする請求項１９に記載の装置。
【請求項２２】
前記一つ以上のＰＲＢ対に位置する少なくとも２個のＣＣＥは、相互に異なる個数の利用可能なサブキャリアを有し、
第１の符号化レート及び第２の符号化レートは、最小個数の利用可能なサブキャリアを有するＣＣＥを用いて決定されることを特徴とする請求項１９に記載の装置。
【請求項２３】
制御チャンネルエレメント(ＣＣＥ)の集合のうちの複数のＣＣＥで、送信時間区間で基地局により送信され、ダウンリンク制御情報(ＤＣＩ)フォーマットを伝達する物理ダウンリンク制御チャンネル(ＰＤＣＣＨ)を復号化するユーザー端末(ＵＥ)装置であって、
ダウンリンク帯域幅を決定するコンピューティングユニットと、
前記ダウンリンク帯域幅のＣＣＥの第１の集合のうちの複数のＣＣＥの間に第１のＤＣＩフォーマットに対する候補ＰＤＣＣＨを独立的に復号化し、前記ダウンリンク帯域幅が所定値より小さい場合に前記ＣＣＥの第１の集合のうちの複数のＣＣＥの間、又は前記ダウンリンク帯域幅が前記所定値より大きいか等しい場合にＣＣＥの第２の集合のうちの複数のＣＣＥの間に、第２のＤＣＩフォーマットに対する候補ＰＤＣＣＨを復号化するデコーダと、を含み、
前記ＣＣＥは、物理リソースブロック(ＰＲＢ)対の集合のうちの一つ以上のＰＲＢ対に位置し、
各ＣＣＥは、ＰＤＣＣＨ送信に対して利用可能な複数のサブキャリアを含み、
各ＰＲＢ対は、前記送信時間区間で複数のサブキャリアを含み、
前記ＤＣＩフォーマットは、ダウンリンク帯域幅で前記ＵＥによる物理ダウンリンク共有チャンネル(ＰＤＳＣＨ)の受信をスケジューリングすることを特徴とする装置。
【請求項２４】
前記第２のＤＣＩフォーマットサイズは、前記第１のＤＣＩフォーマットサイズより大きいことを特徴とする請求項２３に記載の装置。
【請求項２５】
前記ダウンリンク帯域幅が５０個のリソースブロック(ＲＢ)を含み、各ＲＢが１２個のサブキャリアを含む場合、前記第２のＤＣＩフォーマットは、前記ＣＣＥの第２の集合のうちの複数のＣＣＥの間に復号化され、
前記ダウンリンク帯域幅が６個のＲＢを含む場合、前記第２のＤＣＩフォーマットは、前記ＣＣＥの第１の集合のうちの複数のＣＣＥの間に復号化されることを特徴とする請求項２３に記載の装置。
【請求項２６】
前記ＣＣＥの第１の集合での最小番号は、前記ＣＣＥの第２の集合での最小番号より小さく、
前記ＣＣＥの第１の集合での最大番号は、前記ＣＣＥの第２の集合での最大番号より小さいことを特徴とする請求項２３に記載の装置。
【請求項２７】
前記ＣＣＥの第１の集合は{１，２，４，８}であり、
前記ＣＣＥの第２の集合は{２，４，８，１６}であることを特徴とする請求項２６に記載の装置。
【請求項２８】
送信時間区間で物理ダウンリンク制御チャンネル(ＰＤＣＣＨ)をユーザー端末(ＵＥ)に送信する基地局装置であって、
制御チャンネルエレメント(ＣＣＥ)で利用可能なサブキャリアの個数を決定するコンピューティングユニットと、
第１のダウンリンク制御情報(ＤＣＩ)フォーマットサイズと、利用可能なサブキャリアの個数と変調方式の次数との積との比として定義される第１の符号化レートが所定値より小さいか等しい場合にＣＣＥの第１の集合のうちの複数のＣＣＥの間に第１のＤＣＩフォーマットに対する第１のＰＤＣＣＨを送信し、又は前記第１の符号化レートが前記所定値より大きい場合にＣＣＥの第２の集合のうちの複数のＣＣＥの間に前記第１のＤＣＩフォーマットに対する前記第１のＰＤＣＣＨを送信し、第２のＤＣＩフォーマットサイズと、利用可能なサブキャリアの個数と前記変調方式の次数との積との比として定義される第２の符号化レートが所定値より小さいか等しい場合に前記ＣＣＥの第１の集合のうちの複数のＣＣＥの間に第２のＤＣＩフォーマットに対する第２のＰＤＣＣＨを送信し、又は前記第２の符号化レートが前記所定値より大きい場合に前記ＣＣＥの第２の集合のうちの複数のＣＣＥの間に前記第２のＤＣＩフォーマットに対する前記第２のＰＤＣＣＨを送信する送信器と、を含み、
前記ＰＤＣＣＨは、ＤＣＩフォーマットを伝達し、ＣＣＥの集合のうちの複数のＣＣＥで変調方式を使用して送信され、
前記ＣＣＥは、物理リソースブロック(ＰＲＢ)対の集合のうちの一つ以上のＰＲＢ対に位置し、
各ＣＣＥは、ＰＤＣＣＨ送信に対する複数の利用可能なサブキャリアを含み、
各ＰＲＢ対は、前記送信時間区間で複数のサブキャリアを含むことを特徴とする装置。
【請求項２９】
ＣＣＥで利用可能なサブキャリアの個数は、基準信号を送信するために使用されるサブキャリアを除外し、かつ、前記送信時間区間の開始部分で第１の個数の送信シンボルで他のチャンネルを送信するために使用されるサブキャリアを除外することによって、ＣＣＥの所定個数のサブキャリアから決定されることを特徴とする請求項２８に記載の装置。
【請求項３０】
前記基地局装置は、時間で反復される送信時間区間の集合のうちの各送信時間区間に対して利用可能なサブキャリアの個数を前記ＵＥにシグナリングすることを特徴とする請求項２８に記載の装置。
【請求項３１】
前記一つ以上のＰＲＢ対に位置する少なくとも２個のＣＣＥは、相互に異なる個数の利用可能なサブキャリアを有し、
第１の符号化レート及び第２の符号化レートは、最小個数の利用可能なサブキャリアを有するＣＣＥを用いて決定されることを特徴とする請求項２８に記載の装置。
【請求項３２】
送信時間区間で物理ダウンリンク制御チャンネル(ＰＤＣＣＨ)をユーザー端末(ＵＥ)に送信する基地局装置であって、
ダウンリンク帯域幅での動作のために前記基地局装置を構成する制御器と、
前記ダウンリンク帯域幅の制御チャンネルエレメント(ＣＣＥ)の第１の集合のうちの複数のＣＣＥの間に第１のダウンリンク制御情報(ＤＣＩ)フォーマットに対するＰＤＣＣＨを独立的に送信し、前記ダウンリンク帯域幅が所定値より小さい場合に前記ＣＣＥの第１の集合のうちの複数のＣＣＥの間、又は前記ダウンリンク帯域幅が前記所定値より大きいか等しい場合にＣＣＥの第２の集合のうちの複数のＣＣＥの間に、第２のＤＣＩフォーマットに対するＰＤＣＣＨを送信する送信器と、を含み、
前記ＰＤＣＣＨは、ＤＣＩフォーマットを伝達し、ＣＣＥの集合のうちの複数のＣＣＥで送信され、
前記ＣＣＥは、物理リソースブロック(ＰＲＢ)対の集合のうちの一つ以上のＰＲＢ対に位置し、
各ＣＣＥは、ＰＤＣＣＨ送信に対する複数の利用可能なサブキャリアを含み、
各ＰＲＢ対は、前記送信時間区間で複数のサブキャリアを含み、
前記ＤＣＩフォーマットは、ダウンリンク帯域幅で物理ダウンリンク共有チャンネル(ＰＤＳＣＨ)の前記ＵＥによる受信をスケジューリングすることを特徴とする装置。
【請求項３３】
前記第２のＤＣＩフォーマットサイズは、前記第１のＤＣＩフォーマットサイズより大きいことを特徴とする請求項３２に記載の装置。
【請求項３４】
前記ダウンリンク帯域幅が５０個のリソースブロック(ＲＢ)を含み、各ＲＢが１２個のサブキャリアを含む場合、前記第２のＤＣＩフォーマットは、前記ＣＣＥの第２の集合のうちの複数のＣＣＥの間に伝送され、
前記ダウンリンク帯域幅が６個のＲＢを含む場合、前記第２のＤＣＩフォーマットは、前記ＣＣＥの第１の集合のうちの複数のＣＣＥの間に伝送されることを特徴とする請求項３２に記載の装置。
【請求項３５】
前記ＣＣＥの第１の集合での最小番号は、前記ＣＣＥの第２の集合での最小番号より小さく、
前記ＣＣＥの第１の集合での最大番号は、前記ＣＣＥの第２の集合での最大番号より小さいことを特徴とする請求項３２に記載の装置。
【請求項３６】
前記ＣＣＥの第１の集合は{１，２，４，８}であり、
前記ＣＣＥの第２の集合は{２，４，８，１６}であることを特徴とする請求項３５に記載の装置。
【発明の詳細な説明】
【技術分野】
【０００１】
本発明は、無線通信システムに関するものであり、特に、物理ダウンリンク制御チャンネルの送信及び受信装置及び方法に関する。
【背景技術】
【０００２】
通信システムは、基地局(ＢＳ又はＮｏｄｅ Ｂ)のような送信ポイントからの送信信号をユーザー端末(ＵＥ)に伝送するダウンリンク(ＤＬ)と、Ｎｏｄｅ Ｂのような受信ポイントへＵＥからの送信信号を伝送するアップリンク(ＵＬ)とを含む。また、一般的に端末機又は移動局とも称されるＵＥは、固定的あるいは移動的であり、携帯電話と個人用コンピュータデバイスなどであり得る。一般的に、Ｎｏｄｅ Ｂは固定局であり、アクセスポイント又は他の等価用語として称することもある。
【０００３】
ＤＬ信号は、情報コンテンツを伝送するデータ信号と、ＤＬ制御情報(ＤＣＩ)を伝送する制御信号と、パイロット信号として知られている基準信号(ＲＳ)とで構成される。Ｎｏｄｅ Ｂは、各物理ＤＬ共有チャンネル(Physical  DL  Shared  Channel：ＰＤＳＣＨ)又は物理ＤＬ制御チャンネル(Physical  DL  Control  Channel：ＰＤＣＣＨ)を介してデータ情報又はＤＣＩをＵＥに送信する。
また、ＵＬ信号は、データ信号、制御信号、及びＲＳで構成される。ＵＥは、データ情報又はＵＬ制御情報(ＵＣＩ)を各物理アップリンク共有チャンネル(ＰＵＳＣＨ)又は物理アップリンク制御チャンネル(ＰＵＣＣＨ)を介してＮｏｄｅ Ｂに送信する。
【０００４】
ＵＥに対するＰＤＳＣＨ送信又はＵＥからのＰＵＳＣＨ送信は、動的スケジューリング又は半持続的スケジューリング(Semi-Persistent  Scheduling：ＳＰＳ)に応答できる。動的スケジューリングで、Ｎｏｄｅ Ｂは、各物理ＤＬ制御チャンネル(ＰＤＣＣＨ)を介してＤＣＩフォーマットをＵＥに伝達する。ＳＰＳで、ＰＤＳＣＨ又はＰＵＳＣＨ送信は、所定の時間インスタンス(instance)で、所定のパラメータを用いて発生する無線リソース制御(ＲＲＣ)シグナリングのような上位階層シグナリングを介してＮｏｄｅ ＢによりＵＥに構成される。
【０００５】
また、Ｎｏｄｅ Ｂは、ＵＥ−共通ＲＳ(Common  RS：ＣＲＳ)、チャンネル状態情報ＲＳ(Channel  State  Information  RS：ＣＳＩ−ＲＳ)、及び復調ＲＳ(Demodulation  RS：ＤＭＲＳ)を含む複数タイプのＲＳを送信できる。ＣＲＳは、一般的に全体ＤＬシステム帯域幅(ＢＷ)を介して送信され、データ又は制御信号を復調するために、あるいは測定を遂行するためにすべてのＵＥにより使われることができる。ＣＲＳに関連したオーバーヘッドを減少させるために、Ｎｏｄｅ Ｂは、ＵＥが測定動作を遂行するようにＣＲＳより時間及び/又は周波数ドメインでより低い密度を有するＣＳＩ−ＲＳを送信でき、各ＰＤＳＣＨのＢＷでのみＤＭＲＳを送信し、ＵＥは、ＰＤＳＣＨで情報を復調するためにＤＭＲＳを使用することができる。
【０００６】
図１は、ＤＬ送信時間区間(Transmission  Time  Interval：ＴＴＩ)に対する送信構造を示す。
図１を参照すれば、ＤＬ  ＴＴＩは、データ情報、ＤＣＩ、又はＲＳを送信するための２個のスロット１２０と、全体
【数１】
2014053893.tif 000003
個のシンボルを含む１個のサブフレーム１１０で構成される。最初の
【数２】
2014053893.tif 000004
個のサブフレームシンボルは、ＰＤＣＣＨ及び他の制御チャンネル(図示せず)１３０を送信するために使われる。残りの
【数３】
2014053893.tif 000005
個のサブフレームシンボルは、基本的にＰＤＳＣＨ１４０を送信するために使用される。送信ＢＷは、リソースブロック(ＲＢ)と称される周波数リソースユニットで構成される。各ＲＢは、
【数４】
2014053893.tif 000006
個のサブキャリア、又はリソースエレメント(ＲＥ)で構成され、ＵＥにはＰＤＳＣＨ送信ＢＷのために総
【数５】
2014053893.tif 000007
個のＲＥに対するＭPDSCH個のＲＢが割り当てられる。周波数ドメインにおける１個のＲＢの割り当て及び時間ドメインにおける１個のスロット又は２個のスロット(一つのサブフレーム)の割り当ては、各々物理ＲＢ(ＰＲＢ)又はＰＲＢ対(pair)と称する。一部シンボルでの一部ＲＥは、ＣＲＳ１５０、ＣＳＩ−ＲＳ又はＤＭＲＳを含む。
【０００７】
ＤＣＩは、いくつかの目的を果たす。各ＰＤＣＣＨでＤＣＩフォーマットは、各々ＵＥとデータ又は制御情報の提供を遂行するＰＤＳＣＨ又はＰＵＳＣＨをスケジューリングできる。各ＰＤＣＣＨで他のＤＣＩフォーマットは、ネットワーク構成パラメータに対するシステム情報(ＳＩ)あるいは、ＵＥによるランダムアクセス(ＲＡ)に対する応答、あるいは呼び出し(paging)情報をＵＥのグループに提供するＰＤＳＣＨをスケジューリングできる。他のＤＣＩフォーマットは、各ＰＵＳＣＨまたはＰＵＣＣＨでのＳＰＳ送信のための送信電力制御(ＴＰＣ)命令をＵＥのグループに提供できる。
【０００８】
ＤＣＩフォーマットは、ＵＥが正確な検出を確認するように巡回冗長検査(ＣＲＣ)ビットを含む。ＤＣＩフォーマットタイプは、ＣＲＣビットをスクランブリングする無線ネットワーク臨時識別子(ＲＮＴＩ)により識別される。ＰＤＳＣＨ又はＰＵＳＣＨを単一ＵＥにスケジューリングするＤＣＩフォーマットに対して、ＲＮＴＩは、セルＲＮＴＩ(Ｃ−ＲＮＴＩ)である。ＵＥのグループにＳＩを伝達するＰＤＳＣＨをスケジューリングするＤＣＩフォーマットに対して、ＲＮＴＩはＳＩ−ＲＮＴＩである。ＵＥのグループからＲＡに応答を提供するＰＤＳＣＨをスケジューリングするＤＣＩフォーマットに対して、ＲＮＴＩはＲＡ−ＲＮＴＩである。ＵＥのグループを呼び出すＰＤＳＣＨをスケジューリングするＤＣＩフォーマットに対して、ＲＮＴＩはＰ−ＲＮＴＩである。ＵＥのグループにＴＰＣ命令を提供するＤＣＩフォーマットに対して、ＲＮＴＩはＴＰＣ−ＲＮＴＩである。各ＲＮＴＩタイプは、Ｎｏｄｅ Ｂから上位階層シグナリングを通じてＵＥに構成される(また、Ｃ−ＲＮＴＩは、各ＵＥに対して固有である)。
【０００９】
図２は、Ｎｏｄｅ Ｂ送信器でのＤＣＩフォーマットに対する符号化及び送信プロセスを示す。
図２を参照すれば、ＤＣＩフォーマットのＲＮＴＩは、ＵＥがＤＣＩフォーマットタイプを識別するためにコードワードのＣＲＣをマスクする。(符号化されない)ＤＣＩフォーマットビット２１０のＣＲＣ２２０が計算され、連続的にＣＲＣとＲＮＴＩビット２４０との間の排他的ＯＲ(exclusive  OR：ＸＯＲ)動作によりマスクされる(２３０)。ＸＯＲ(０，０)＝０であり、ＸＯＲ(０，１)＝１であり、ＸＯＲ(１，０)＝１であり、ＸＯＲ(１，１)＝０である。その後、マスクされたＣＲＣは、ＤＣＩフォーマットビットに付加され(２５０)、チャンネル符号化は、一例として畳み込み符号(convolutional  code)を用いて遂行され(２６０)、次に割り当てられたリソースにレートマッチング(rate  matching)(２７０)が遂行され、最後にインタリービング(interleaving)と変調が遂行された(２８０)後に、制御信号の送信が遂行される(２９０)。例えば、ＣＲＣとＲＮＴＩは両方ともに１６ビットで構成される。
【００１０】
図３は、ＵＥ受信器でのＤＣＩフォーマットに対する受信及び復号化(decoding)プロセスを示す。
図３を参照すると、受信された制御信号３１０は復調され、結果として生じたビットは、デインタリービング(de-interleaving)され(３２０)、Ｎｏｄｅ Ｂ送信器に適用されたレートマッチングが復元され(３３０)、制御情報は続いて復号化される(３４０)。復号化後に、ＤＣＩフォーマットビット３６０は、ＲＮＴＩ３８０を使用するＸＯＲ動作を介してデマスク(de-mask)される(３７０)ＣＲＣビット３５０を抽出した後に獲得される。その結果、ＵＥは、ＣＲＣテスト３９０を遂行する。ＣＲＣテストを通過する場合、ＵＥは、ＤＣＩフォーマットを有効なＤＣＩフォーマットと見なし、ＰＤＳＣＨ受信又はＰＵＳＣＨ送信に対するパラメータを決定する。ＣＲＣテストを通過しない場合、ＵＥは、候補となったＤＣＩフォーマットを無視する。
【００１１】
Ｎｏｄｅ Ｂは、各ＰＤＣＣＨでＤＣＩフォーマットを別途に符号化及び送信する。第２のＰＤＣＣＨ送信を遮断する第１のＰＤＣＣＨ送信を避けるために、ＤＬ制御領域で各ＰＤＣＣＨの位置は固有でない。したがって、ＵＥは、ＵＥ向きのＰＤＣＣＨが存在するか否かを判定するためにサブフレームごとに複数の復号化動作を遂行する必要がある。ＰＤＣＣＨを伝達するＲＥは、論理ドメインで制御チャンネルエレメント(ＣＣＥ)にグループ化される。ＣＣＥアグリゲーションレベルは、例えば、１、２、４、８個のＣＣＥで構成され得る。
【００１２】
図４は、各ＰＤＣＣＨにおけるＤＣＩフォーマットの送信プロセスを示す。
図４を参照すると、符号化されるＤＣＩフォーマットビットは、論理ドメインでＰＤＣＣＨ  ＣＣＥにマッピングされる。最初に４個のＣＣＥ(Ｌ＝４)、ＣＣＥ１  ４０１、ＣＣＥ２  ４０２、ＣＣＥ３  ４０３、及びＣＣＥ４  ４０４は、ＵＥ１にＰＤＣＣＨを送信するために使用される。その次に２個のＣＣＥ(Ｌ＝２)、ＣＣＥ５  ４１１及びＣＣＥ６  ２１２は、ＵＥ２にＰＤＣＣＨを送信するために使用される。その次に２個のＣＣＥ(Ｌ＝２)、ＣＣＥ７  ４２１及びＣＣＥ８  ４２２は、ＵＥ３にＰＤＣＣＨを送信するために使用される。最後のＣＣＥ(Ｌ＝１)、ＣＣＥ９  ４３１は、ＵＥ４にＰＤＣＣＨを送信するために使用される。ＤＣＩフォーマットビットは、２進(binary)スクランブリング符号によりスクランブリングされ(４４０)、続いて変調される(４５０)。また、各ＣＣＥは、リソースエレメントグループ(ＲＥＧ)に分割される。例えば、３６個のＲＥで構成されるＣＣＥは、それぞれの４個のＲＥで構成される９個のＲＥＧに分割することができる。インタリービング(interleaving)４６０、例えばブロックインタリービングは、ＰＤＣＣＨに対して直交位相シフトキーイング(Quadrature  Phase  Shift  Keying：ＱＰＳＫ)変調を仮定する場合、４個のＱＰＳＫシンボルのブロックで構成されるＲＥＧの間に適用される。一連のＱＰＳＫシンボルは、Ｊシンボルによりシフトされ(４７０)、最後に各ＱＰＳＫシンボルは、ＤＬサブフレームの制御領域でＲＥ４８０にマッピングされる。したがって、ＣＲＳ４９１、ＣＲＳ４９２及び他の制御チャンネル(図示せず)に加えて、ＤＬ制御領域のＲＥは、ＵＥ１  ４９４、ＵＥ２  ４９５、ＵＥ３  ４９６、及びＵＥ４  ４９７に対するＤＣＩフォーマットに対応するＱＰＳＫシンボルを含む。
【００１３】
ＰＤＣＣＨ復号化プロセスに対して、ＵＥは、ＣＣＥのＵＥ−共通集合(共通検索空間又はＣＳＳ)及びＣＣＥのＵＥ−専用集合(ＵＥ専用検索空間又はＵＥ−ＤＳＳ)に従って論理ドメインでＣＣＥを復元させた後、候補ＰＤＣＣＨ送信に対する検索空間を決定できる。ＣＳＳは、論理ドメインで、ＵＥ−共通制御情報に関連したＤＣＩフォーマットに対するＰＤＣＣＨを送信し、各ＣＲＣをスクランブリングするためにＳＩ−ＲＮＴＩ、Ｐ−ＲＮＴＩ、ＴＰＣ−ＲＮＴＩなどを使用するために使われる最初のＣ個のＣＣＥで構成される。ＵＥ−ＤＳＳは、ＵＥ−特定制御情報に関連したＤＣＩフォーマットに対するＰＤＣＣＨを送信し、各ＣＲＣをスクランブリングするＣ−ＲＮＴＩを使用するのに使われる残りのＣＣＥで構成される。ＵＥ−ＤＳＳのＣＣＥは、サブフレーム番号又はサブフレームでＣＣＥの総個数のようなＵＥ−共通パラメータ及びＣ−ＲＮＴＩのようなＵＥ−特定パラメータを入力として有する疑似ランダム関数によって決定することができる。例えば、Ｌ∈{１，２，４，８}ＣＣＥのＣＣＥアグリゲーションレベルに対して、ＰＤＣＣＨ候補ｍに対応するＣＣＥは、下記の式により与えられる。
【００１４】
【数６】
2014053893.tif 000008
【００１５】
ここで、ＮCCE,kは、サブフレームｋ，ｉ＝０，…，Ｌ−１，
【数７】
2014053893.tif 000009
でＣＣＥの総個数であり、
【数８】
2014053893.tif 000010
は、ＵＥ−ＤＳＳでモニタするＰＤＣＣＨ候補の個数である。Ｌ∈{１，２，４，８}に対する
【数９】
2014053893.tif 000011
の望ましい値は、各々{６，６，２，２}である。ＵＥ−ＤＳＳに対して、Ｙk＝(Ａ・Ｙk-1)ｍｏｄ Ｄである。ここで、Ｙ-1＝Ｃ−ＲＮＴＩ≠０、Ａ＝３９８２７及びＤ＝６５５３７である。ＣＳＳに対して、Ｙｋ＝０である。
【００１６】
一般的なＤＬ制御領域は、最大
【数１０】
2014053893.tif 000012
個のサブフレームシンボルを占め、ＰＤＣＣＨは、主に全体ＤＬ  ＢＷにわたって送信される。したがって、いくつかの場合に、必要とする、サブフレームで拡張されるＰＤＣＣＨ能力及び周波数ドメインでＰＤＣＣＨ干渉調整(coordination)のようなネットワーク機能はサポートできない。このような場合、ＵＥは、マクロ−Ｎｏｄｅ Ｂから、あるいはＲＲＨからのＤＬ信号を受信できるネットワークで遠隔無線ヘッド(ＲＲＨ)を使用することである。ＲＲＨ及びマクロ−Ｎｏｄｅ Ｂがスモールセル識別子(samecellidentity)を共有する場合、セル分割利得は、存在せず、拡張されたＰＤＣＣＨ能力は、マクロ−Ｎｏｄｅ Ｂ及びＲＲＨ両方からのＰＤＣＣＨ送信を提供することが必要になる。他の場合、ピコ(pico)−Ｎｏｄｅ ＢからのＤＬ信号がマクロ−Ｎｏｄｅ ＢからのＤＬ信号から強力な干渉を経験し、Ｎｏｄｅ Ｂの間に周波数ドメインで干渉協力が必要となる異種ネットワーク(heterogeneous  network)に関するものである。
【００１７】
一般的なＤＬ制御領域サイズの
【数１１】
2014053893.tif 000013
以上のサブフレームシンボルに対する直接的な拡張は、少なくとも上記のような拡張を認識し、サポートしない一般的なＵＥのサポートに対する必要性により可能でない。別の代替方式は、個別的なＰＲＢ対を使用することによって、ＰＤＳＣＨ領域でＤＬ制御シグナリングをサポートすることである。一般的なＰＤＳＣＨ領域の一つ以上のＰＲＢ対で送信されるＰＤＣＣＨは、向上したＰＤＣＣＨ(ＥＰＤＣＣＨ)と称する。
【００１８】
図５は、ＤＬサブフレームでのＥＰＤＣＣＨ送信構造を示す。
図５を参照すれば、ＥＰＤＣＣＨ送信は、ＰＤＣＣＨ送信５１０後に直ちに始まり、残りのサブフレームシンボルを通じて存在しても、第４のサブフレームシンボルのような固定した位置で常に始まることができ、また残りのサブフレームシンボルの一部を通じて拡張できる。ＥＰＤＣＣＨ送信は、残りのＰＲＢ対がＰＤＳＣＨ送信５６０，５６２，５６４，５６６，５６８に使用される間に４個のＰＲＢ対５２０，５３０，５４０，５５０で発生する。
【００１９】
ＵＥには、ＥＰＤＣＣＨを伝達できるＰＲＢ対の一つ以上の集合がＮｏｄｅ Ｂからの上位階層シグナリングにより構成できる。Ｎｏｄｅ ＢがＵＥに対する正確なＣＳＩを有し、周波数ドメインスケジューリング(ＦＤＳ)あるいはビームフォーミング(beam-forming)を遂行できる場合、ＵＥに対するＥＰＤＣＣＨの送信は、単一ＰＲＢ対(又はいくつかのＰＲＢ対)で存在でき、あるいはＰＲＢ対ごとに正確なＣＳＩがＮｏｄｅ Ｂで利用可能でない場合、可能なかぎり送信器アンテナダイバーシティを用いてＵＥに対するＥＰＤＣＣＨの送信は、複数のＰＲＢ対で存在できる。単一ＰＲＢ対(又はいくつかのＰＲＢ対)を介するＥＰＤＣＣＨ送信は、局部的(localized)あるいはデインタリービングと称し、これに対して複数のＰＲＢ対を介するＥＰＤＣＣＨ送信は、分散又はインタリービングと称する。
【００２０】
正確なＥＰＤＣＣＨ検索空間設計は、本発明において重要でなく、ＰＤＣＣＨ検索空間設計と共に下記のような同一の原則に従う。ＥＰＤＣＣＨは、ＥＣＣＥと称される各ＣＣＥで構成され、複数のＥＰＤＣＣＨ候補は、可能な各ＥＣＣＥアグリゲーションレベルＬEに対して存在する。例えば、ＬE∈{１，２，４，８}ＥＣＣＥは、局部的ＥＰＤＣＣＨに対するもので、ＬE∈{１，２，４，８，１６}ＥＣＣＥは分散(distributed)ＥＰＤＣＣＨに対するものである。ＥＣＣＥは、一般的なＣＣＥと同一のサイズを有するか、あるいは有しないこともある。
【００２１】
ＰＲＢ対ごとにＥＰＤＣＣＨ  ＲＥの個数は、図１で
【数１２】
2014053893.tif 000014
個のサブフレームシンボルにより定義される一般的なＤＬ制御領域のサイズと、ＣＳＩ−ＲＳ  ＲＥと、ＣＲＳ  ＲＥなどの個数に基づいて変更される。このような変更は、同一のＥＣＣＥサイズを維持し、できる限り異なるサブフレームで毎ＰＲＢ対に変更可能な個数のＥＣＣＥを有するようにして(また、可能な限りＥＣＣＥに割り当てられない一部ＲＥを有するようにして)、あるいはＰＲＢ対ごとに同一の個数のＥＣＣＥを維持して変更可能なＥＣＣＥサイズを有するようにすることでアドレスされ得る。ＥＣＣＥサイズは、ＥＰＤＣＣＨを送信すること(ＰＲＢ対で他の信号を送信するために使われるＲＥを除くこと)に対して利用可能なそれぞれの個数のＲＥにより定義され、ＥＣＣＥサイズは固定した最大ＥＣＣＥサイズと異なり得る。最大ＥＣＣＥサイズは、ＥＰＤＣＣＨの復調と関連したＤＭＲＳでなく、他の信号がＥＰＤＣＣＨを送信するために使用されるＰＲＢ対で送信されると仮定することによって獲得される。すると、
【数１３】
2014053893.tif 000015
個のＲＥ、
【数１４】
2014053893.tif 000016
個のサブフレームシンボル、及びＤＭＲＳ送信のための２４個のＲＥを含むＰＲＢ対に対して、ＥＰＤＣＣＨの送信に利用可能な
【数１５】
2014053893.tif 000017
個のＲＥが存在し、ＰＲＢ対に対する４ＥＣＣＥに対して、最大ＥＣＣＥサイズは３６ＲＥである。
【００２２】
図６は、ＰＲＢ対当たり４個のＥＣＣＥを仮定するサブフレーム別ＥＣＣＥサイズでの変更を示す。
図６を参照すると、ＥＰＤＣＣＨ６１０を送信する複数のＲＥに対する第１の実現で、一般的なＤＬ制御領域は、最初に３個のサブフレームシンボル６２０をスパン(span)し、第１の個数のＤＭＲＳ  ＲＥ６３０、ＣＳＩ−ＲＳ  ＲＥ６３２、及びＣＲＳ  ＲＥ６３４が存在する。ＰＲＢ対別に４個のＥＣＣＥに対して、ＥＣＣＥサイズは２１ＲＥである。ＥＰＤＣＣＨ６４０を送信する複数のＲＥに対する第２の実現で、一般的なＤＬ制御領域は、最初の１個のサブフレームシンボル６５０をスパンし、第２の個数のＤＭＲＳ  ＲＥ６６０及びＣＳＩ−ＲＳ  ＲＥ６６２が存在する(ＣＳＩ−ＲＳ  ＲＥは存在しない)。ＰＲＢ対ごとの４個のＥＣＣＥに対して、ＥＣＣＥサイズは３０ＲＥであり、あるいは第１の実現で約４３％多い。また、ＥＣＣＥサイズでのより多くの変更が存在できる。
【００２３】
ＥＣＣＥサイズは、サブフレーム別に変更でき、ＥＰＤＣＣＨを信頼性よく検出するために要求される最小ＥＣＣＥアグリゲーションレベルも変更できる。ＥＣＣＥサイズにＴREに対するしきい値が定義され、ＥＣＣＥサイズがＴREより小さい場合、ＥＣＣＥアグリゲーションレベルは、ＥＣＣＥサイズがＴREより大きいか等しい場合のＥＣＣＥアグリゲーションレベルの２倍となり得る。例えば、ＬE∈{１，２，４，８}がＴREより大きいか等しいＥＣＣＥサイズを有する分散ＥＰＤＣＣＨを送信するためのＥＣＣＥアグリゲーションレベルである場合、ＬE∈{２，４，８，１６}はＴREより小さいＥＣＣＥサイズを有する分散ＥＰＤＣＣＨを送信するためのＥＣＣＥアグリゲーションレベルである。
【００２４】
単一ＴRE値を使用することは、ＵＥが異なる情報ペイロードを有するＤＣＩフォーマットを伝達する異なるＥＰＤＣＣＨを検出することに対する必要性を適切にアドレスすることに失敗する。例えば、ＰＵＳＣＨをスケジューリングする第１のＤＣＩフォーマットは４３ビットのペイロードを含み、これに対してＰＤＳＣＨをスケジューリングする第２のＤＣＩフォーマットは５８ビットのペイロードを含むことができる。その後、ＱＰＳＫとＴRE＝２６に対して、１個のＥＣＣＥのアグリゲーションレベルが第１のＤＣＩフォーマットを伝達するのに十分であっても、各最大符号化レートが０．８３である場合、１個のＥＣＣＥのアグリゲーションレベルは、各最大符号化レートが１．１２である場合、第２のＤＣＩフォーマットを伝達するのに不十分であり、ＴRE＝３５は第２のＤＣＩフォーマットに対する約０．８３の最大符号化レートに対して必要になる。
【００２５】
単一ＴRE値を使用することに対する他の制限は、ＥＰＤＣＣＨを送信するために変更可能な変調方式を考慮するのに失敗することである。変調方式は、ＥＣＣＥアグリゲーションレベルでＤＣＩフォーマットの情報ペイロードを送信するための各符号化レートを決定するコンポーネントのうちの一つである。
単一ＴRE値を使用することに対するもう一つの制限は、構成可能な情報フィールドの有無によって、あるいはＤＬ又はＵＬ動作の帯域幅によるリソース割り当て又は他の情報フィールドの変更に従ってＤＣＩフォーマットの情報ペイロードでの変更を考慮するのに失敗することである。ＵＥは、Ｎｏｄｅ Ｂにより送信されるシステム情報を受信することによって、ＤＬ又はＵＬ動作の帯域幅を決定できる。
【００２６】
したがって、ＥＣＣＥサイズの複数のしきい値を定義する必要があり、各しきい値は、ＵＥのＥＣＣＥサイズがしきい値より小さいか否か、あるいはしきい値より大きいか又は等しいかに基づいてＥＰＤＣＣＨ候補に対する各ＥＣＣＥアグリゲーションレベルを調整するために検出しようとする一つ以上のＤＣＩフォーマットに対応する。
また、各変調方式に基づいてＥＰＤＣＣＨ候補に対する各ＥＣＣＥアグリゲーションレベルを調整するためにＥＣＣＥサイズのしきい値を定義する必要がある。
また、スケジューリングできる最大帯域幅及びＤＣＩフォーマットに基づいて異なるＤＣＩフォーマットに対してＥＰＤＣＣＨ候補に対するＥＣＣＥアグリゲーションレベルを調整する必要がある。
最後に、各ＤＣＩフォーマットに対する符号化レートに基づいて異なるＤＣＩフォーマットに対してＥＰＤＣＣＨ候補に対するＥＣＣＥアグリゲーションレベルを調整する必要がある。
【先行技術文献】
【特許文献】
【００２７】
【特許文献１】米国特許出願公開第２０１２／０２０１２１６号明細書
【発明の概要】
【発明が解決しようとする課題】
【００２８】
したがって、本発明は、上記した従来技術の問題点に鑑みてなされたものであって、その目的は、基地局が物理ダウンリンク制御チャンネル(ＰＤＣＣＨ)を送信し、ユーザー端末(ＵＥ)がＰＤＣＣＨを復号化する方法及び装置を提供することにある。
【課題を解決するための手段】
【００２９】
上記のような目的を達成するために、本発明の一態様によれば、基地局が複数の制御チャンネルエレメント(ＣＣＥ)のうちの複数のＣＣＥで変調方式を使用して送信されるダウンリンク制御情報(ＤＣＩ)フォーマットを伝達する物理ダウンリンク制御チャンネル(ＰＤＣＣＨ)を送信し、ＵＥがＰＤＣＣＨを検出する。ＣＣＥは、物理リソースブロック(ＰＲＢ)対の集合のうちの一つ以上のＰＲＢ対に位置する。ＣＣＥは、ＰＤＣＣＨ送信に対して利用可能な複数のリソースエレメント(ＲＥ)を含む。基地局は、ＵＥがＰＤＣＣＨを復号化可能なＰＲＢ対の一つ以上の集合を通知するシグナリングを送信し、ＵＥは上記シグナリングを受信する。基地局及びＵＥは、送信時間区間でＰＤＣＣＨ送信に対してＣＣＥで利用可能な複数のＲＥを決定する。送信時間区間で一つ以上のＰＲＢ対のうちのＰＲＢ対の集合で、第１のＤＣＩフォーマットに対して、基地局はＰＤＣＣＨを送信し、ＵＥは候補ＰＤＣＣＨを復号化し、第１のＤＣＩフォーマットサイズと、利用可能なサブキャリアの個数と変調方式の次数との積との比として定義される第１の符号化レートが所定値より小さいか等しい場合にＣＣＥの第１の集合のうちの複数のＣＣＥの間にＰＤＣＣＨが送信されて、候補ＰＤＣＣＨが復号化され、あるいは第１の符号化レートが所定の値より大きい場合に複数のＣＣＥの第２の集合のうちの複数のＣＣＥの間にＰＤＣＣＨが送信されて、候補ＰＤＣＣＨが復号化される。さらに、第２のフォーマットに対して、基地局はＰＤＣＣＨを送信し、ＵＥは候補ＰＤＣＣＨを復号化し、第２のＤＣＩフォーマットサイズと、利用可能なサブキャリアの個数と変調方式の次数との積との比として定義される第２の符号化レートが所定値より小さいか等しい場合に上記ＣＣＥの第１の集合のうちの複数のＣＣＥの間にＰＤＣＣＨが送信されてて、候補ＰＤＣＣＨが復号化され、あるいは第２の符号化レートが所定値より大きい場合に上記ＣＣＥの第２の集合のうちの複数のＣＣＥの間にＰＤＣＣＨが送信されて、候補ＰＤＣＣＨが復号化される。基地局及びＵＥは、基準信号を送信するために使用されることが基地局によりＵＥに通知されるＲＥを除外し、かつ、送信時間区間の開始部分で第１の個数の送信シンボルで他のチャンネルを送信するために使用されることが基地局によりＵＥに通知されるＲＥを除外することによって、所定個数のＲＥのうちの利用可能ななＲＥの個数を決定する。利用可能なＲＥの個数は、時間で反復される送信時間区間の集合のうちの各送信時間区間に対して基地局によりＵＥにシグナリングできる。一つ以上のＰＲＢ対に位置する少なくとも２個のＣＣＥが異なる個数の利用可能なＲＥを有する場合、第１の符号化レート及び第２の符号化レートは、最小個数の利用可能なＲＥを有するＣＣＥを用いて決定される。
【００３０】
本発明の別の態様によれば、基地局が複数の制御チャンネルエレメント(ＣＣＥ)のうちの複数のＣＣＥで送信されるダウンリンク制御情報(ＤＣＩ)フォーマットを伝達する物理ダウンリンク制御チャンネル(ＰＤＣＣＨ)を送信し、ＵＥがＰＤＣＣＨを検出する。ＣＣＥは、物理リソースブロック(ＰＲＢ)対の集合のうちの一つ以上のＰＲＢ対に位置する。ＤＣＩフォーマットは、ダウンリンク(ＤＬ)帯域幅でＵＥによる物理ダウンリンク共有チャンネル(ＰＤＳＣＨ)の受信をスケジューリングする。制御器は、ＤＬ帯域幅での動作のために基地局を構成し、ＵＥは、基地局からのシグナリングに基づいてＤＬ帯域幅を決定する。基地局は、ＵＥがＰＤＣＣＨを復号化できる一つ以上のＰＲＢ対の集合を知らせるシグナリングを送信し、ＵＥは、シグナリングを受信する。基地局は、ＤＬ帯域幅のＣＣＥの第１の集合のうちの複数のＣＣＥの間に第１のＤＣＩフォーマットに対して、時間区間で一つ以上のＰＲＢ対の集合のうちのＰＲＢ対の集合でＰＤＣＣＨを送信し、ＵＥは、ＤＬ帯域幅のＣＣＥの第１の集合のうちの複数のＣＣＥの間に第１のＤＣＩフォーマットに対して、時間区間で一つ以上のＰＲＢ対の集合のうちのＰＲＢ対の集合で候補ＰＤＣＣＨを復号化する。ＤＬ帯域幅が所定値より小さい場合にＣＣＥの第１の集合のうちの複数のＣＣＥの間に第２のＤＣＩフォーマットに対して、基地局はＰＤＣＣＨを送信し、ＵＥは候補ＰＤＣＣＨを復号化する。ＤＬ帯域幅が所定の値より小さい場合にＣＣＥの第２の集合のうちの複数のＣＣＥの間に第２のＤＣＩフォーマットに対して、基地局はＰＤＣＣＨを送信し、ＵＥは候補ＰＤＣＣＨを復号化する。第２のＤＣＩフォーマットサイズは、第１のＤＣＩフォーマットサイズより大きい。ＤＬ帯域幅が５０個のリソースブロック(ＲＢ)を含み、各ＲＢが１２個のサブキャリアを含む場合、第２のＤＣＩフォーマットは、ＣＣＥの第２の集合のうちの複数のＣＣＥの間に復号化され、ダウンリンク帯域幅が６個のＲＢを含む場合、第２のＤＣＩフォーマットは、ＣＣＥの第１の集合のうちの複数のＣＣＥの間に復号化される。ＣＣＥの第１の集合での最小番号は、複数のＣＣＥの第２の集合での最小番号より小さく、ＣＣＥの第１の集合での最大番号は、ＣＣＥの第２の集合での最大番号より小さい。ＣＣＥの第１の集合は{１，２，４，８}であり、ＣＣＥの第２の集合は{２，４，８，１６}である。ＤＬ帯域幅の所定値は、第２のＤＣＩフォーマットを伝達するＰＤＣＣＨができるだけ最小個数のＣＣＥの間に送信される場合に獲得される最大符号に直接関連される。ＰＤＳＣＨ送信をスケジューリングするＤＣＩフォーマットのサイズは、リソース割り当てフィールドでの増加によってＤＬ帯域幅増加時に増加される。ＤＣＩフォーマットに対する各送信符号化レートは、ＤＣＩフォーマットサイズに比例して、帯域幅増加時に増加される。また、ＤＣＩフォーマットに対する各符号化レートは、各ＰＤＣＣＨを送信するのに使用される複数のＣＣＥに反比例する。したがって、ＤＬ帯域幅でＰＤＳＣＨをスケジューリングするＤＣＩフォーマットは、１個のＣＣＥの間に各ＰＤＣＣＨが送信される場合に高い符号化レートを招く場合、各ＰＤＣＣＨを送信するのに使用される最小個数のＣＣＥは、２個のＣＣＥに制限される。一方、各ＰＤＣＣＨを送信するのに使用される最小個数のＣＣＥは１個のＣＣＥである。また、上記のような点は、アップリンク帯域幅でＵＥによる物理アップリンク共有チャンネル(ＰＵＳＣＨ)の送信をスケジューリングするＤＣＩフォーマットに対して適用される。
【００３１】
本発明の上記及び他の態様、特徴、及び利点は、添付の図面と共に述べる以下の詳細な説明から、一層明らかになる。
【図面の簡単な説明】
【００３２】
【図１】ＤＬ  ＴＴＩの構成を示す図である。
【図２】ＤＣＩフォーマットに対する符号化プロセスを示すブロック構成図である。
【図３】ＤＣＩフォーマットに対する復号化プロセスを示すブロック構成図である。
【図４】各ＰＤＣＣＨでのＤＣＩフォーマットの送信プロセスを示す図である。
【図５】ＤＬ  ＴＴＩでのＥＰＤＣＣＨ送信を示す図である。
【図６】ＰＲＢ対当たり４個のＥＣＣＥを仮定するサブフレーム別ＥＣＣＥサイズでの変更を示す図である。
【図７】本発明の一実施形態により、ＥＣＣＥアグリゲーションレベルを調整するためにサブフレームでＵＥが検出しようとする一つ以上のＤＣＩフォーマットと各しきい値が関連されるＥＣＣＥサイズに対する複数のしきい値の使用を示す図である。
【図８Ａ】本発明の一実施形態により、複数のＤＣＩフォーマットのうち、ＤＣＩフォーマットに基づいてＥＣＣＥアグリゲーションレベルのノミナル(nominal)集合の使用あるいはＥＣＣＥアグリゲーションレベルの追加集合の使用を示す図である。
【図８Ｂ】本発明の一実施形態により、サブフレーム別ＥＣＣＥしきい値の構成とサブフレーム別ＥＰＤＣＣＨを送信するためのＰＲＢ対の最小集合の構成を示す図である。
【図９】本発明の一実施形態によるＥＰＤＣＣＨ変調方式に対するＥＣＣＥアグリゲーションレベルの依存性を示す図である。
【図１０】本発明の一実施形態により、ＵＥが動作周波数でＤＣＩフォーマットを伝達するＥＰＤＣＣＨの検出を試みるためのＥＣＣＥアグリゲーションレベルの依存性を示す図である。
【図１１】本発明の一実施形態により、ＵＥが検出しようとするＥＰＤＣＣＨにより伝達されるＤＣＩフォーマットでＥＣＣＥアグリゲーションレベル別ＥＰＤＣＣＨ候補の依存性を示す図である。
【図１２】本発明の一実施形態により、サブフレーム別ＥＣＣＥアグリゲーションレベルの調整を含むＮｏｄｅ Ｂ送信器でＤＣＩフォーマットに対する符号化及び送信プロセスを示す図である。
【図１３】本発明の一実施形態により、サブフレームに対するＥＣＣＥアグリゲーションレベルの調整を含むＵＥ受信器でＤＣＩフォーマットに対する受信及び復号化プロセスを示す図である。
【発明を実施するための形態】
【００３３】
以下、本発明の望ましい実施形態を添付の図面を参照して詳細に説明する。
本発明は、多様な形態でも実現され、ここで記述する実施形態に限定されるものとして解されてはならない。このような実施形態は、ただその記載が詳細で完全であり、当該技術分野における通常の知識を持つ者には明らかである。なお、公知の機能または構成に関する具体的な説明は、明瞭性と簡潔性のために省略する。
加えて、本発明の実施形態は、直交周波数分割多重化(ＯＦＤＭ)を参照して説明されるが、本発明の実施形態では、一般的に、すべての周波数分割多重化(ＦＤＭ)送信にも適用でき、特に離散フーリエ変換(ＤＦＴ)−拡散ＯＦＤＭにも適用できる。
【００３４】
本発明は、ＥＣＣＥサイズによる、あるいはＤＣＩフォーマットを伝達するＥＰＤＣＣＨの変調方式による、もしくは動作ＢＷとＤＣＩフォーマットサイズによる、サブフレームでＥＣＣＥアグリゲーションレベルの個数を調整し、ＤＣＩフォーマットサイズによるＥＣＣＥアグリゲーションレベル別に異なる個数のＥＰＤＣＣＨ候補を割り当てる方法及び装置を考慮する。図６で説明したように、ＥＣＣＥサイズは、ＰＲＢ対当たり４ＥＣＣＥのように、ＰＲＢ対当たり固定個数のＥＣＣＥを仮定するＰＲＢ対でＥＰＤＣＣＨを送信することに利用可能な複数のＲＥと称する。したがって、ＥＣＣＥサイズに対する複数のしきい値を定義することは、ＰＲＢ対でＥＰＤＣＣＨを送信するのに利用可能な複数のＲＥに対するしきい値を定義することと均等である(ＰＲＢ対当たり４ＥＣＣＥに対して、後者は、以前の４倍に該当する)。
【００３５】
本発明の第１の実施形態では、ＥＣＣＥサイズがしきい値より小さいか否か、あるいはしきい値より大きいか等しいかに基づいてサブフレームで各ＥＣＣＥアグリゲーションレベルを調整するために、ＥＣＣＥサイズの複数のしきい値を定義することを考慮し、各しきい値は、ＵＥが検出しようとする一つ以上のＤＣＩフォーマットに相応する。
【００３６】
以後、第１の実施形態が空間多重化を使用せずにＵＥからのＰＵＳＣＨ送信をスケジューリングするＤＣＩフォーマット０と、空間多重化を使用し、あるいは空間多重化を使用せずにＵＥからのＰＵＳＣＨ送信をスケジューリングするＤＣＩフォーマット４と、空間多重化を使用せずにＵＥへのＰＤＳＣＨ送信をスケジューリングするＤＣＩフォーマット１Ａと、空間多重化を使用し、あるいは空間多重化を使用せずにＵＥへのＰＤＳＣＨ送信をスケジューリングするＤＣＩフォーマット２Ｃを参照して説明する。ＤＣＩフォーマット０とＤＣＩフォーマット１Ａは、同一のサイズを有し、ＤＣＩフォーマット０/１Ａと称されるように設計されると仮定する。空間多重化を使用するＰＵＳＣＨ又はＰＤＳＣＨ送信をスケジューリングすることをサポートするため、ＤＣＩフォーマット４及びＤＣＩフォーマット２Ｃは、各々ＤＣＩフォーマット０/１Ａより大きいサイズを有する。ＤＣＩフォーマット０/１Ａと、ＤＣＩフォーマット４及びＤＣＩフォーマット２Ｃに対する指示情報ペイロードは、５０ＲＢの大きい動作ＢＷに対して各々４３ビット、５１ビット、及び５８ビットであり、あるいは６ＲＢの大きい動作ＢＷに対して各々３７ビット、４５ビット、及び４６ビットである。
【００３７】
ＥＰＤＣＣＨ送信に対してＱＰＳＫ変調(ＲＥ当たり２個の情報ビットを伝達)及びＯDCIビットのＤＣＩフォーマット情報ペイロードに対して各ＤＣＩフォーマットの検出信頼性を保証するより小さいターゲット最大符号化レートを仮定する場合、最小ＥＣＣＥサイズはＳmin＝ＯDCI/(２・Ｒmax)として獲得できる。ＤＣＩフォーマット０/１Ａに対する最小ＥＣＣＥサイズを
【数１６】
2014053893.tif 000018
で表し、ＤＣＩフォーマット２Ｃに対する最小ＥＣＣＥサイズ
【数１７】
2014053893.tif 000019
で表す場合、２個の最小ＥＣＣＥサイズ間の相対的な差は、
【数１８】
2014053893.tif 000020
であり、あるいは４３ビット及び５８ビットの各ペイロードに対しては約３５％である。
【００３８】
他の信号の有無によりＥＣＣＥサイズで一般的な変更は３５％より小さいとする場合、ＤＣＩフォーマット０/１Ａ及びＤＣＩフォーマット２Ｃすべてに対して信頼性のある検出のためにサブフレームでＥＣＣＥアグリゲーションレベルを定義する単一ＴRE値を使用することは、以前の最小ＥＣＣＥアグリゲーションレベルを過大評価し、あるいは以後の最小ＥＣＣＥアグリゲーションレベルを過小評価することを招くことは明らかである。例えば、ＴRE＝２６ＲＥのＥＣＣＥサイズしきい値が使用される場合(あるいは、等価的に、ＰＲＢ対でＥＰＤＣＣＨを送信するための４×２６＝１０４個の利用可能なＲＥのしきい値が使用される場合)、１個のＥＣＣＥを有するＥＰＤＣＣＨ送信に対して、０．８３のチャンネル符号化レートがＤＣＩフォーマット０/１Ａである場合に適用され、これに対して、１．１２のチャンネル符号化レートがＤＣＩフォーマット２Ｃである場合に適用される。したがって、１個のＥＣＣＥのアグリゲーションレベルを有するＥＰＤＣＣＨ送信に対してＤＣＩフォーマット０/１Ａに対する信頼性のある検出が(少なくとも相対的に高いＤＬ  ＳＩＮＲを経験するＵＥに対して)可能である。これに対して、ＤＣＩフォーマット２Ｃに対する信頼性のある検出は５０ＲＢの大きい動作ＢＷである場合に可能でない。明確には、６ＲＢの小さい動作ＢＷでのスケジューリングに対して、ＤＣＩフォーマット２Ｃのサイズ(４６ビット)が５０ＲＢの大きい動作ＢＷでのスケジューリングのためのＤＣＩフォーマット１Ａのサイズ(４３ビット)と同様であり、ＤＣＩフォーマット２Ｃに対する信頼性のある検出は１個のＥＣＣＥのアグリゲーションレベルを有するＥＰＤＣＣＨ送信を用いて可能である。さらに、これは、そのサイズ(３７ビット)が５０ＲＢの大きい動作ＢＷでのスケジューリングに対してより小さい場合(４３ビット)ＤＣＩフォーマット１Ａに適用され得る。
【００３９】
ＴREが一例として３６の値まで増加する場合、ＤＣＩフォーマット０/１ＡとＤＣＩフォーマット２Ｃともに対する信頼性のある検出を獲得できるが、これは、ＰＲＢ対当たり４個のＥＣＣＥに対して、ＰＲＢ対ごとにＲＥの個数がほぼ１４４と同一である場合(例えば、ＣＲＳ又はＣＳＩ−ＲＳ又は一般的な制御信号のような他の信号の存在によって)主に１個のＥＣＣＥのアグリゲーションレベルに対する使用を減少させることができる。ＴRE値の増加は、例えばＤＣＩフォーマット０/１Ａのように、相対的に低い情報ペイロードを有するＤＣＩフォーマットの送信に対して不必要な符号化冗長(低いチャンネル符号化レート)を要求できる。それにもかかわらず、ＥＣＣＥサイズに対する追加的なしきい値は、ＵＥが検出するように構成される一つ以上のＤＣＩフォーマットを提供するように導入できる。
【００４０】
上記のように、１個のＥＣＣＥのアグリゲーションレベルを有するＤＣＩフォーマット０/１ＡとＤＣＩフォーマット２Ｃ両方ともを效率的にサポートすることが不可能なことに対する直接の影響は、異なるＤＣＩフォーマットにサブフレームで異なる個数のＥＣＣＥアグリゲーションレベルが割り当てられなければならないことである。例えば、上記したように、ＤＣＩフォーマット０/１Ａに対して、１個のＥＣＣＥのアグリゲーションレベルは、すべての動作ＢＷに対してサポートでき、これに対して、ＤＣＩフォーマット２Ｃに対して、１個のＥＣＣＥのアグリゲーションレベルは大きい動作ＢＷに対してサポートできない。
【００４１】
図７は、本発明の一実施形態により、ＥＣＣＥアグリゲーションレベルの個数を調整するためのＥＣＣＥサイズに対する複数のしきい値の使用を示す。ここで、各しきい値は、サブフレームでＵＥが検出しようとする一つ以上のＤＣＩフォーマットに関連する。
図７を参照すると、例えばＤＣＩフォーマット０/１Ａのような一つ以上のＤＣＩフォーマットの第１の集合と関連した、少なくとも第１のＥＣＣＥサイズしきい値
【数１９】
2014053893.tif 000021
と、例えばＤＣＩフォーマット２Ｃのような一つ以上のＤＣＩフォーマットの第２の集合と関連した第２のＥＣＣＥサイズしきい値
【数２０】
2014053893.tif 000022
は、サブフレームでＥＣＣＥアグリゲーションレベルに対して使われる(ステップ７１０)。
【数２１】
2014053893.tif 000023
と
【数２２】
2014053893.tif 000024
の値は、通信システムの動作で特定化され、あるいはＮｏｄｅ Ｂから上位階層シグナリングによりＵＥに構成され得る。
【数２３】
2014053893.tif 000025
を仮定すると、サブフレームでＥＣＣＥサイズが
【数２４】
2014053893.tif 000026
より小さい場合(ステップ７２０)、１個のＥＣＣＥのアグリゲーションレベルは、任意のＤＣＩフォーマットに対してＥＰＤＣＣＨを送信するために使用されない(ステップ７３０)。さらに、ＥＣＣＥサイズが
【数２５】
2014053893.tif 000027
より小さい場合、２個のＥＣＣＥのアグリゲーションレベルは、第２の集合からＤＣＩフォーマットを伝達するＥＰＤＣＣＨ送信に対して使用されない。それにもかかわらず、簡単性のために、
【数２６】
2014053893.tif 000028
であり、最小のＥＣＣＥサイズは
【数２７】
2014053893.tif 000029
より大きい(これによって、
【数２８】
2014053893.tif 000030
より大きい)と仮定する。サブフレームでＥＣＣＥサイズが
【数２９】
2014053893.tif 000031
より大きいか等しく、
【数３０】
2014053893.tif 000032
より小さい場合(ステップ７４０)、１個のＥＣＣＥのアグリゲーションレベルは、第１の集合からＤＣＩフォーマットを伝達するＥＰＤＣＣＨ送信に使用されるが、第２の集合からＤＣＩフォーマットを伝達するＥＰＤＣＣＨ送信に使用されない(ステップ７５０)。最後に、サブフレームでＥＣＣＥサイズが
【数３１】
2014053893.tif 000033
より大きいか等しい場合、１個のＥＣＣＥのアグリゲーションレベルは、ＤＣＩフォーマットの第１の集合又はＤＣＩフォーマットの第２の集合からＤＣＩフォーマットを伝達するようにＥＰＤＣＣＨ送信に使用できる(ステップ７６０)。
【００４２】
ＥＣＣＥサイズが
【数３２】
2014053893.tif 000034
又は
【数３３】
2014053893.tif 000035
より小さい場合、各ＤＣＩフォーマットを伝達するＥＰＤＣＣＨを送信するように一つのＥＣＣＥのアグリゲーションレベルを使用することが不可能なことは、最大ＥＣＣＥアグリゲーションレベルが２倍となることを追加的に要求する。例えば、ＥＣＣＥアグリゲーションレベルのノミナル集合がＬE∈{１，２，４，８}ＥＣＣＥとして定義される場合、１個のＥＣＣＥのアグリゲーションレベルがサブフレームでＤＣＩフォーマットに対してサポートできない場合、ＥＣＣＥアグリゲーションレベルの追加集合はＬE∈{２，４，８，１６}として定義される。ＵＥが１個のＥＣＣＥのアグリゲーションレベルを含み、第１の最大アグリゲーションレベルを有するＥＣＣＥアグリゲーションレベルのノミナル集合を考慮するか、あるいは１個のＥＣＣＥのアグリゲーションレベルを含まず、第２の最大アグリゲーションレベルを有するＥＣＣＥアグリゲーションレベルの追加集合を考慮するかは、各サブフレームでＥＣＣＥサイズが各ＤＣＩフォーマットに対応するしきい値より小さいか、あるいは大きいか、又は等しいか否かに基づく。ここで、第２の最大は、第１の最大の２倍である。
【００４３】
図８Ａは、本発明の一実施形態により、複数のＤＣＩフォーマットのうち、ＤＣＩフォーマットに基づいてＥＣＣＥアグリゲーションレベルのノミナル集合の使用又はＥＣＣＥアグリゲーションレベルの追加集合の使用を示す。
図８Ａを参照すると、 例えばＤＣＩフォーマット０/１Ａのような一つ以上のＤＣＩフォーマットの第１の集合と関連した、少なくとも第１のＥＣＣＥサイズしきい値
【数３４】
2014053893.tif 000036
と、例えばＤＣＩフォーマット２Ｃのような一つ以上のＤＣＩフォーマットの第２の集合と関連した、第２のＥＣＣＥサイズしきい値
【数３５】
2014053893.tif 000037
は、再びサブフレームでＥＣＣＥアグリゲーションレベルに対して使われる(ステップ８１０)。サブフレームでＥＣＣＥサイズが
【数３６】
2014053893.tif 000038
より小さい場合(ステップ８２０)、ＥＣＣＥアグリゲーションレベルの追加集合は、各ＥＰＤＣＣＨでＤＣＩフォーマットの第１の集合のうちのＤＣＩフォーマット及びＤＣＩフォーマットの第２の集合のうちのＤＣＩフォーマットすべての送信のために使用される(ステップ８３０)。サブフレームでＥＣＣＥサイズが
【数３７】
2014053893.tif 000039
より大きいか等しいが、
【数３８】
2014053893.tif 000040
より小さい場合(ステップ８４０)、各ＥＰＤＣＣＨでＥＣＣＥアグリゲーションレベルのノミナル集合は、ＤＣＩフォーマットの第１の集合のうちのＤＣＩフォーマットの送信に使用され、ＥＣＣＥアグリゲーションレベルの追加集合は、ＤＣＩフォーマットの第２の集合のうちのＤＣＩフォーマットの送信に使用される(ステップ８５０)。最後に、サブフレームでＥＣＣＥサイズが
【数３９】
2014053893.tif 000041
より大きいか等しい場合、各ＥＰＤＣＣＨでＥＣＣＥアグリゲーションレベルのノミナル集合は、ＤＣＩフォーマットの第１の集合のうちのＤＣＩフォーマットとＤＣＩフォーマットの第２の集合のうちのＤＣＩフォーマット全部の送信に使用される(ステップ８６０)。
【００４４】
ＵＥは、ＥＰＤＣＣＨ送信に使用されるＥＣＣＥアグリゲーションレベルに対するＥＰＤＣＣＨ候補のみを復号化できる。加えて、１個のＥＣＣＥがＤＣＩフォーマットを伝達するＥＰＤＣＣＨ送信に使用される場合、ＥＣＣＥアグリゲーションレベルは、ＬE∈{１，２，４，８}ＥＣＣＥである。１個のＣＣＥが同一のＤＣＩフォーマットを伝達するＥＰＤＣＣＨ送信に使用されない場合、ＥＣＣＥアグリゲーションレベルはＬE∈{２，４，８，１６}ＥＣＣＥである。
【００４５】
ＥＣＣＥサイズしきい値、又は等価的にＥＰＤＣＣＨ送信に対するＰＲＢ対でＲＥの個数に対するしきい値は、サブフレームに基づく。このような依存性に対する理由は、ＵＥがＥＰＤＣＣＨを送信するのに利用可能でないＰＲＢ対ですべてのＲＥを認識できないためである。例えば、サブフレームでＣＳＩ−ＲＳの構成は、ＵＥ特定であり、ＵＥは、他のＵＥに対してサブフレームでのＣＳＩ−ＲＳに関連したＲＥを認識できない。その後、Ｎｏｄｅ ＢがＣＳＩ−ＲＳに関連したＲＥでＥＰＤＣＣＨを送信しないため、ＣＳＩ−ＲＳに関連したＲＥを認識しないＵＥは、ＥＰＤＣＣＨを伝達する場合に上記のようなＲＥを処理することによって、実際のＥＣＣＥサイズより大きいＥＣＣＥサイズを仮定する(ＣＳＩ−ＲＳに関連したＲＥがＥＰＤＣＣＨを伝達すると処理される場合、ＥＰＤＣＣＨの検出信頼性における劣化を経験することに追加)。
【００４６】
上記したような問題点を避けるために、ＵＥに意図されるか、あるいはＵＥに意図されないすべてのＣＳＩ−ＲＳインスタンスの中で変化する間に、Ｎｏｄｅ Ｂは、上位階層シグナリングによりＵＥにあらゆるＣＳＩ−ＲＳインスタンスを構成でき、あるいはサブフレームの集合でサブフレーム別にＥＣＣＥサイズしきい値を構成できる。サブフレームの集合は、１０個のサブフレームのような複数のサブフレームを含み、再構成されるまで上記のような個数のサブフレームを毎度反復できる。後者の場合、Ｎｏｄｅ Ｂは、信号の送信を使用してサブフレームでより多くのＥＣＣＥサイズしきい値を構成し、ＵＥは、ＵＥに完全に通知された信号の送信を使用してサブフレームでのＥＣＣＥサイズしきい値を認知できない。例えば、２個のＥＣＣＥサイズが定義され、Ｎｏｄｅ Ｂは、第１のＥＣＣＥサイズが適用されるサブフレームを(例えば、２進数‘０’で)指示でき、第２のＥＣＣＥサイズが適用されるサブフレームを(例えば、２進数‘１’で)指示できる。また、Ｎｏｄｅ Ｂは、ＵＥがより多くのＥＰＤＣＣＨ候補を認識できない信号に関連したＲＥを有するサブフレームでより高いＥＣＣＥアグリゲーションレベルに割り当てられるようにサブフレーム別にＥＣＣＥアグリゲーションレベルの異なる個数のＥＰＤＣＣＨ候補を用いてＵＥを構成できる。
【００４７】
サブフレームに基づいたＥＣＣＥサイズしきい値に加えて、ＥＰＤＣＣＨを送信するために使われるＰＲＢ対の集合は、サブフレーム別にＥＰＤＣＣＨを送信するために利用可能なＲＥの個数での変更を考慮するためにサブフレームに基づく。原則的に、サブフレームでＥＰＤＣＣＨを送信するためにＲＥで同一の最小要求を提供するために、ＥＣＣＥサイズ(又はＵＥにサブフレーム別にＥＰＤＣＣＨを送信することに利用可能なＰＲＢ対ごとにＲＥの個数)が係数Ｘだけ減少する場合、ＰＲＢ対の各個数は係数１/Ｘだけ増加しなければならない。したがって、ＰＲＢ対の第１の最小個数が、ＥＣＣＥサイズが第１の値を有する場合、ＥＰＤＣＣＨを送信するために第１のサブフレームで使用され、ＰＲＢ対の第２の最小個数が、ＥＣＣＥサイズが第２の値を有する場合、ＥＰＤＣＣＨを送信するために第２のサブフレームで使われることができる。例えば、最小４個のＰＲＢ対は、２６ＲＥより大きいか等しいＥＣＣＥサイズを有するサブフレームでＥＰＤＣＣＨを送信するために使用され、最小８個のＰＲＢ対は、２６ＲＥより小さいＥＣＣＥサイズを有するサブフレームでＥＰＤＣＣＨを送信するために使用され得る。サブフレームでＥＰＤＣＣＨを送信するために使用されるＰＲＢの最小個数は、ＤＬ  ＢＷに対するシステム動作で構成され、あるいは特定の基準値を用いてサブフレーム別ＥＰＤＣＣＨを送信するのに利用可能なＰＲＢ対当たりＲＥの個数あるいはＥＣＣＥサイズ(又はＥＣＣＥサイズしきい値)から導出され、あるいはサブフレーム別にＵＥに対して別途に構成され得る。
【００４８】
図８Ｂは、本発明の一実施形態により、サブフレーム別ＥＣＣＥしきい値の構成及びサブフレーム別ＥＰＤＣＣＨを送信するためのＰＲＢ対の最小集合の構成を示す。
図８Ｂを参照すると、ＥＰＤＣＣＨを送信するために使用されるＰＲＢ対は、ＤＭＲＳ  ＲＥ  ８Ａ１０、ＣＲＳ  ＲＥ  ８Ａ１２、及びＣＣＨに対するＲＥ  ８Ａ１６を含む。ＵＥは、上記のようなＲＥすべてを全体的に認識していると仮定する。また、ＰＲＢ対は、ＵＥが認識していないＣＳＩ−ＲＳ  ＲＥ  ８Ａ１４を含む(一般的に、ＵＥは第１の個数のＣＳＩ−ＲＳ  ＲＥを認識できず、ＰＲＢ対で第２の個数のＣＳＩ−ＲＳ  ＲＥを認識できない)。すべてのＣＳＩ−ＲＳ  ＲＥを認識できないため、ＵＥは、実際ＥＣＣＥサイズ(ＣＳＩ−ＲＳ  ＲＥを全体的に認識しているＵＥに対して)が２６ＲＥである場合、ＵＥは、３０ＲＥのＥＣＣＥサイズを仮定することができる。このような問題点を避けるために、ＵＥがＵＥ自身のＥＣＣＥしきい値を計算する代りに、図８Ｂの例で、ＥＰＤＣＣＨ検出信頼性の性能低下を考慮するために、実際ＥＣＣＥサイズ又は実際ＥＣＣＥサイズより小さいＥＣＣＥサイズを通知するＥＣＣＥしきい値がＮｏｄｅ Ｂにより構成され得る。また、サブフレーム別に変更可能なＥＣＣＥサイズを考慮するために、ＥＣＣＥサイズは、ＵＥにより計算され、あるいはＮｏｄｅ Ｂから上位階層シグナリングによりＵＥに構成されるか、ＥＰＤＣＣＨを送信するために使われるＰＲＢ対の最小個数はサブフレーム別に変更できる。例えば、サブフレームｋ１で５０ＰＲＢ対のＤＬ  ＢＷに対して、最小２個のＰＲＢ対(ＰＲＢ対３及びＰＲＢ対３３)はＥＰＤＣＣＨを送信するために使用でき、これに対して、サブフレームｋ２で(サブフレームｋ１より少ないＥＣＣＥサイズを有する)最小４個のＰＲＢ対(ＰＲＢ対３、ＰＲＢ対１８、ＰＲＢ対３３、及びＰＲＢ対４８)は、ＥＰＤＣＣＨを送信するために使用できる。ＰＲＢ対ごとに各ＲＥの個数も小さい場合のように、ＥＰＤＣＣＨ送信がサブフレーム別に少ない個数の送信シンボルの間に存在する場合、同一の条件が発生する。
【００４９】
本発明の第２の実施形態では、ＥＰＤＣＣＨ送信に使用される変調方式の次数Ｑｍに対するＥＣＣＥアグリゲーションレベルの依存度を考慮する。
変調次数Ｑｍは、空間効率性の表示である。ＱＰＳＫは、ＲＥ(Ｑｍ＝２)別に２個の情報ビットを伝達し、これに対して、１６個の状態(state)を有する直交振幅変調(ＱＡＭ１６)は、ＲＥ(Ｑｍ＝４)当たり４個の情報ビットを伝達する。変調次数は、Ｎｏｄｅ Ｂから上位階層シグナリングによりＵＥに構成され得る。変調次数は、サブフレームでＵＥがＵＥ−ＤＳＳで検出することを試みるすべてのＤＣＩフォーマットに対して同一であり、あるいは例えば、ＤＣＩフォーマット０/１Ａに対してＱｍ＝２を使用し、ＤＣＩフォーマット２Ｃに対してＱｍ＝４を使用するようにＤＣＩフォーマットに基づく。
【００５０】
ＥＰＤＣＣＨ送信の変調次数を考慮する間に、本発明の第１の実施形態に対して、最小ＥＣＣＥサイズを決定するための同一の分析を適用する場合、最小ＥＣＣＥサイズはＳmin＝ＯDCI/(Ｑm・Ｒmax)のように獲得できる。簡単に、単一ＥＣＣＥサイズしきい値ＴRE及び最小ＥＣＣＥサイズがＴRE/２より大きいことを考慮する場合、ＵＥは、サブフレームで各ＤＣＩフォーマットに対するＥＰＤＣＣＨを検出することを試みるＵＥに対するＥＣＣＥアグリゲーションレベルは、ＴREに追加的にＥＰＤＣＣＨ送信の変調次数に基づくことができる。したがって、各サブフレームでＥＣＣＥサイズがＴREより小さい場合、ＵＥは、各ＥＰＤＣＣＨがＱＰＳＫ変調を使用して送信される場合、１個のＥＣＣＥのアグリゲーションレベルに対するＤＣＩフォーマットの検出を試みることができず、これに対して各ＥＰＤＣＣＨがＱＡＭ１６変調を使用して送信される場合、そのような検出を試みることができる。
【００５１】
図９は、本発明の一実施形態によるＥＰＤＣＣＨ変調方式でＥＣＣＥアグリゲーションレベルの依存性を示す。
図９を参照すると、ＱＰＳＫ又はＱＡＭ１６がＥＰＤＣＣＨ送信に対する変調方式であると仮定される。各サブフレームでＥＣＣＥサイズがＴREより小さい場合(ステップ９１０)、ＥＰＤＣＣＨ送信がＱＰＳＫ変調を使用する場合(ステップ９２０)、各ＥＣＣＥアグリゲーションレベルはＬE∈{２，４，８，１６}ＥＣＣＥであり(ステップ９３０)、これに対して、ＥＰＤＣＣＨ送信がＱＡＭ１６変調を使用する場合、各ＥＣＣＥアグリゲーションレベルは、ＬE∈{１，２，４，８}ＥＣＣＥである(ステップ９４０)。一方、各サブフレームでＥＣＣＥサイズがＴREより大きいか等しい場合、ＥＰＤＣＣＨ送信がＱＰＳＫ変調を使用する場合(ステップ９５０)、各ＥＣＣＥアグリゲーションレベルはＬE∈{１，２，４，８}ＥＣＣＥである(ステップ９６０)。これに対して、ＥＰＤＣＣＨ送信がＱＡＭ１６変調を使用する場合、各ＥＣＣＥアグリゲーションレベルはＬE∈{１，２，４}ＥＣＣＥである(ステップ９７０)。
【００５２】
ＱＡＭ１６変調の使用は、ＵＥ−ＤＳＳでＤＣＩフォーマットの送信のみに対して適用され、これに対してＱＰＳＫ変調は、ＣＳＳで同一のＤＣＩフォーマットの送信に対して適用され得る。例えば、ＤＣＩフォーマット０/１ＡがＵＥ−ＤＳＳでＥＰＤＣＣＨを介して送信される場合、ＱＡＭ１６変調がＥＰＤＣＣＨ送信に対してＵＥに構成され得る。反対に、ＤＣＩフォーマット０/１ＡがＣＳＳでＥＰＤＣＣＨを介して送信される場合、ＱＰＳＫ変調が常に使用される。ＣＳＳでＤＣＩフォーマットを送信するＱＰＳＫ変調に基づいてＵＥ−ＤＳＳでＤＣＩフォーマットのみを送信するためにＱＡＭ１６変調を構成することは、例えば、ＵＥにより経験されるチャンネルが実際に信頼できないＱＡＭ１６のサポートに対して十分に悪化させる場合、ＵＥスケジューリングに対するフォールバック(fallback)サポートを許容する。さらに、ＣＳＳでＥＰＤＣＣＨ送信に対するＱＰＳＫ変調は、ＵＥがＥＰＤＣＣＨ送信に関連した変調方式の最近構成を適用したか否かをＮｏｄｅ Ｂがわからない(ＱＰＳＫとＱＡＭ１６との間のスイッチング時に)不確実な周期でＵＥスケジューリングのサポートに使用されない。
【００５３】
本発明の第３の実施形態は、構成可能情報フィールドの有無に従って、あるいはリソース割り当て情報フィールドあるいは他の情報フィールドの変化によって、あるいは動作帯域幅によってＥＣＣＥアグリゲーションレベルの依存性を考慮する。
ＤＣＩフォーマットは、Ｎｏｄｅ Ｂから上位階層シグナリングにより構成可能な情報フィールドを含むことができ、続いてＤＣＩフォーマットサイズは、上記のような情報フィールドの存在有無に基づいて変更できる。一例として、ＤＣＩフォーマットは、一つ又は２つのビットで構成され、チャンネルサウンディング目的のためにＵＥによる基準信号の送信をトリガリングするフィールドの有無又は３個のビットで構成され、各ＤＣＩフォーマットがマルチキャリア通信システムで意図されるキャリアを示すフィールドの有無を構成する。
【００５４】
ＤＣＩフォーマットサイズに対する変化の追加的なソースは、ＵＥにＰＤＳＣＨ送信をスケジューリングするための、あるいはＵＥからＰＵＳＣＨ送信をスケジューリングする各ＤＣＩフォーマットによりアドレスされる必要がある最小ＢＷである。このような変化のソースは、ＤＣＩフォーマットでのリソース割り当て(ＲＡ)フィールドのサイズである。このＲＡフィールドは、ＰＲＢ対の個数(ＰＲＢ対グループの個数のような他のリソースユニット)を示し、動作ＢＷで各全体個数のＲＢに基づく。例えば、５ＭＨｚの動作ＢＷに対して、ＤＣＩフォーマット２ＣでＲＡフィールドは１３ビットを含み、これに対して、２０ＭＨｚの動作ＢＷに対して、ＤＣＩフォーマット２ＣでＲＡフィールドは２５ビットを含むことができる。したがって、以前に説明したように、ＤＣＩフォーマット２Ｃと低い符号化レートに対して、信頼性のある検出のために要求される値は、各ＰＤＳＣＨが小さい動作ＢＷでスケジューリングされる場合、１個のＥＣＣＥの間に各ＰＤＣＣＨ送信に対して達成できるが、各ＰＤＳＣＨが大きい動作ＢＷでスケジューリングされる場合に１個のＥＣＣＥの間の送信では達成できない。しかしながら、ＤＣＩフォーマット１Ａと低い符号化レートに対して、信頼性良い検出に対して要求される値は、上記動作ＢＷとは関係なく、１個のＥＣＣＥの間に各ＰＤＣＣＨ送信に対して達成できる。
【００５５】
サブフレームでＥＰＤＣＣＨ送信に対してＥＣＣＥアグリゲーションレベルを定義するために、ＥＣＣＥサイズに対するしきい値を決定する場合に、ＤＣＩフォーマットサイズでの変更を提供するために少なくとも動作ＢＷが考慮される。異なるＢＷに対するＥＣＣＥサイズのための異なるしきい値は、通信システムの動作で固定値により、あるいはＮｏｄｅ Ｂから上位階層シグナリングを通じて各ＵＥに対する構成により定義できる。
【００５６】
図１０は、本発明の一実施形態により、動作帯域幅でＤＣＩフォーマットを伝達するＥＰＤＣＣＨを検出しようとするＵＥに対するＥＣＣＥアグリゲーションレベルの依存性を示す。
図１０を参照すると、ＵＥに対するＰＤＳＣＨ送信又はＵＥからのＰＵＳＣＨ送信が第１の全体個数のＰＲＢ対で構成される各ＤＬ  ＢＷ又はＵＬ  ＢＷ内の各ＤＣＩフォーマットによりスケジューリングされる場合(ステップ１０１０)、第１のしきい値ＴRE,1は各サブフレームでＥＣＣＥアグリゲーションレベルを決定するために、ＥＣＣＥサイズに対して使用され(ステップ１０２０)、それによってＥＣＣＥアグリゲーションレベルの第１の集合が使われる。逆に、ＵＥに対するＰＤＳＣＨ送信あるいはＵＥからのＰＵＳＣＨ送信が第２の全体個数のＰＲＢ対で構成される各ＤＬ  ＢＷ又はＵＬ  ＢＷ内の各ＤＣＩフォーマットによりスケジューリングされる場合(ステップ１０３０)、第２のしきい値ＴRE,2は、各サブフレームでＥＣＣＥアグリゲーションレベルを決定するためにＥＣＣＥサイズに対して使用され(ステップ１０４０)、ＥＣＣＥアグリゲーションレベルの第２の集合が使用される。例えば、動作ＢＷで第１の最大個数のＲＢに対して、ＥＣＣＥサイズは、ＴRE,1より小さく、その結果符号化レートがＤＣＩフォーマットに対して信頼性のあるＥＰＤＣＣＨ検出をサポートできない場合、各サブフレームでＤＣＩフォーマットを伝達する各ＥＰＤＣＣＨ送信に対するＥＣＣＥアグリゲーションレベルは、ＬE∈{２，４，８，１６}ＥＣＣＥであり得る。これとは違い、各サブフレームでＤＣＩフォーマットを伝達する各ＥＰＤＣＣＨ送信に対するＥＣＣＥアグリゲーションレベルは、ＬE∈{１，２，４，８}ＥＣＣＥであり得る。
【００５７】
本発明の第４の実施形態では、Ｎｏｄｅ Ｂにより復号化されるようにＵＥに構成される一つ以上のＤＣＩフォーマットの各サイズに従ってＥＣＣＥアグリゲーションレベルの同一の集合に対して、異なるＤＣＩフォーマットに対する異なる個数のＥＰＤＣＣＨ候補の割り当てを考慮する。
ＥＣＣＥアグリゲーションレベルの同一の集合に対して、異なるＤＣＩフォーマットのための異なる個数のＥＰＤＣＣＨ候補を割り当てる理由は、各ＥＰＤＣＣＨ送信に対する符号化レートが各ＤＣＩフォーマットペイロードに基づくためである。例えば、５０ＲＢの動作ＢＷに対して、ＥＰＤＣＣＨのＱＰＳＫ変調(Ｑｍ＝２)に対して、Ｓ＝３０ＲＥのＥＣＣＥサイズを有する２個のＥＣＣＥのアグリゲーションレベルに対して、各ＥＰＤＣＣＨでＯDCI＝４３ビットの情報ペイロードを用いてＤＣＩフォーマット０/１Ａを伝達するための符号化レートは、Ｒ＝ＯDCI/(Ｓ・Ｑｍ)＝０．７１６であり(信頼性のあるＥＰＤＣＣＨ検出を提供)、これに対して、各ＥＰＤＣＣＨでＯDCI＝５８ビットの情報ペイロードを用いてＤＣＩフォーマット２Ｃを伝達するための符号化レートはＲ＝０．９６６である(信頼性のあるＥＰＤＣＣＨ検出を提供できない)。したがって、同一のＵＥに対して、同一のＤＣＩフォーマット検出の信頼性に対して、２個のＥＣＣＥのアグリゲーションレベルを有するＥＰＤＣＣＨ送信に対する可能性(likelihood)は、ＥＰＤＣＣＨ送信が各符号化レートでの変更によるＤＣＩフォーマット０/１Ａ又はＤＣＩフォーマット２Ｃを伝達するか否かに従って変更される。その構成方法に基づき、ＰＲＢ対の集合でＥＣＣＥは、簡単で強力な動作を維持するために最小サイズを有するＥＣＣＥが、符号化レートの決定で考慮される場合、異なるサイズ(一般的に少数のＲＥにより)を有することができる。
【００５８】
ＵＥが各個数のＥＣＣＥアグリゲーションレベルに対してサブフレームで復号化しようとする固定した個数のＥＰＤＣＣＨ候補に対する使用を改善させるために、各ＥＣＣＥアグリゲーションレベルに対する複数の候補に対する分散は、結果符号化レートで各差をアドレスするために各ＤＣＩフォーマットに対して調整しなければならない。例えば、ＥＰＤＣＣＨにより伝達されるＤＣＩフォーマットＥＣの信頼性のある検出を保証するために、最小２個のＥＣＣＥが大きいＤＬ  ＢＷでスケジューリングのために常に必要となり、これに対して、スケジューリングが小さいＤＬ  ＢＷで遂行される場合には、１個のＥＣＣＥが十分であり得る。ＤＣＩフォーマット２Ｃより小さいサイズを有する、ＤＣＩフォーマット１Ａに対して、１個のＥＣＣＥの間の各ＥＰＤＣＣＨ送信に対する符号化レートは、すべての動作ＤＬ  ＢＷで十分であり得る。ＤＣＩフォーマットに対する各ＥＣＣＥアグリゲーションレベル別ＥＰＤＣＣＨ候補の個数は、通信システムの動作で定義され、あるいはＮｏｄｅ Ｂからの上位階層シグナリングによりＵＥに構成され得る。
【００５９】
図１１は、本発明の一実施形態により、ＵＥが検出を試みるＥＰＤＣＣＨにより伝達されるＤＣＩフォーマットでＥＣＣＥアグリゲーションレベル別ＥＰＤＣＣＨ候補の依存性を示す。
図１１を参照すると、ＵＥは、第１のＤＣＩフォーマットを検出するためのＥＰＤＣＣＨを復号化する場合(ステップ１１１０)、各サブフレームで定義される各ＥＣＣＥアグリゲーションレベルに対するＥＰＤＣＣＨ候補の第１の集合を考慮する(ステップ１１２０)。ＵＥは、第２のＤＣＩフォーマットを検出するためのＥＰＤＣＣＨを復号化する場合(ステップ１１３０)、各サブフレームで定義される各ＥＣＣＥアグリゲーションレベルに対するＥＰＤＣＣＨ候補の第２の集合を考慮する(ステップ１１４０)。例えば、サブフレームでアグリゲーションレベルＬE∈{１，２，４，８}のＥＣＣＥに対して、各ＥＰＤＣＣＨ候補の個数は、ＤＣＩフォーマット０/１Ａに対して{６，６，２，２}となり、ＤＣＩフォーマット２Ｃに対して{０，８，６，２}となり得る。
本発明の実施形態を実現するＮｏｄｅ Ｂ送信器は、サブフレームで使用されるＥＣＣＥアグリゲーションレベルによってチャンネル符号化を適用する追加的な機能を有する図２の一般的な構造に従う。
【００６０】
図１２は、本発明の一実施形態により、サブフレーム別ＥＣＣＥアグリゲーションレベルの調整を含むＮｏｄｅ Ｂ送信器でＤＣＩフォーマットに対する符号化及び送信プロセスを示す。
図１２を参照すると、(図２で説明したように)ＤＣＩ情報に対する全体ペイロードの入力とＣＲＣビット１２１０と、サブフレームでＥＰＤＣＣＨ送信に対するＥＣＣＥアグリゲーションレベルの入力１２２０に基づき、制御器１２３０は、ＥＰＤＣＣＨ送信に対して適用する符号化レート及びレートマッチングパラメータを決定する。例えば、ＥＣＣＥアグリゲーションレベルＬE∈{１，２，４，８}ＥＣＣＥの集合がサブフレームで使われる場合、畳み込みエンコーダは、１個のＥＣＣＥのアグリゲーションレベルに対して２/３符号化レートを適用でき、２個のＥＣＣＥのアグリゲーションレベルに対して１/３符号化レートを適用でき、４個のＥＣＣＥのアグリゲーションレベルに対して１/３符号化レートと１回の反復を適用でき、８個のＥＣＣＥのアグリゲーションレベルに対して１/３符号化レートと２回の反復を適用できる。これと反対に、ＥＣＣＥアグリゲーションレベルＬE∈{２，４，８，１６}ＥＣＣＥの集合がサブフレームで使用される場合、畳み込みエンコーダは２個のＥＣＣＥのアグリゲーションレベルに対して反復なしに１/３符号化レートを適用でき、４個のＥＣＣＥのアグリゲーションレベルに対して１回の反復と共に１/３符号化レートを適用でき、８個のＥＣＣＥのアグリゲーションレベルに対して２回の反復と共に１/３符号化レートを適用でき、１６個のＥＣＣＥのアグリゲーションレベルに対して８回の反復と共に１/３符号化レートを適用できる。その次に、チャンネルエンコーダ１２４０は、選択された個数の反復を使用する選択された符号化レートを適用し、レートマッチング器１２５０は、ＤＣＩフォーマットの符号化されたビットを割り当てられたリソースにマッピングし、上記ビットは、インタリーバ及び変調器１２６０によりインタリービング及び変調され、制御信号１２７０は送信される。
本発明の実施形態を実現するＵＥ受信器は、サブフレームで使用されるＥＣＣＥアグリゲーションレベルによってチャンネル復号化を適用する追加的な機能を有する図３の一般的な構造に従う。
【００６１】
図１３は、本発明の一実施形態により、サブフレーム別ＥＣＣＥアグリゲーションレベルの調整を含むＵＥ受信器でＤＣＩフォーマットに対する受信及び復号化プロセスを示す。
図１３を参照すると、ＵＥは、サブフレームでＥＰＤＣＣＨ送信に対するＥＣＣＥアグリゲーションレベルの入力に基づいて(１３２０)(各ＥＣＣＥサイズ及び各ＤＣＩフォーマットのペイロードにより、または変調方式により、あるいはスケジューリングＢＷにより決定される)、制御信号を受信し(１２２０)、制御器１３３０は、各復調及びＤＩインタリービングパラメータ１３４０、レートＤＩマッチングパラメータ１３５０及びチャンネル復号化パラメータ１３６０を決定する。その後、復号化されたＤＣＩ情報及びＣＲＣビット１３７０は、図３に示したように、追加的な処理に対して考慮される。例えば、ＥＣＣＥアグリゲーションレベルの集合ＬE∈{１，２，４，８}ＥＣＣＥがサブフレームで使用される場合、畳み込みデコーダは、１個のＥＣＣＥのアグリゲーションレベルに対する２/３符号化レートと、２個のＥＣＣＥのアグリゲーションレベルに対する１/３符号化レートと、４個のＥＣＣＥのアグリゲーションレベルに対する反復を有する１/３符号化レート、あるいは８個のＥＣＣＥのアグリゲーションレベルに対する２回の反復を有する１/３符号化レートを使用することができる。その反対に、ＥＣＣＥアグリゲーションレベルの集合ＬE∈{２，４，８，１６}ＥＣＣＥがサブフレームで使用される場合、畳み込みデコーダは、２個のＥＣＣＥのアグリゲーションレベルに対する如何なる反復も持たない１/３符号化レートと、４個のＥＣＣＥのアグリゲーションレベルに対する１回の反復を有する１/３符号化レートと、８個のＥＣＣＥのアグリゲーションレベルに対する２回の反復を有する１/３符号化レート、及び１６個のＥＣＣＥのアグリゲーションレベルに対する８回の反復を有する１/３符号化レートを使用することができる。
【００６２】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００６３】
１２１０  ＤＣＩ情報及びＣＲＣビット
１２２０  ＥＣＣＥアグリゲーションレベル
１２３０  制御器
１２４０  チャンネルエンコーダ
１２５０  レートマッチング器
１２６０  インタリーバ及び変調器
１２７０  制御信号
１３１０  制御信号
１３２０  ＥＣＣＥアグリゲーションレベル
１３３０  制御器
１３４０  復調器及びデインタリーバ
１３５０  レートデマッチング器
１３６０  チャンネルデコーダ
１３７０  ＤＣＩ情報及びＣＲＣビット
【図１】
2014053893.tif 000042
【図２】
2014053893.tif 000043
【図３】
2014053893.tif 000044
【図４】
2014053893.tif 000045
【図５】
2014053893.tif 000046
【図６】
2014053893.tif 000047
【図７】
2014053893.tif 000048
【図８Ａ】
2014053893.tif 000049
【図８Ｂ】
2014053893.tif 000050
【図９】
2014053893.tif 000051
【図１０】
2014053893.tif 000052
【図１１】
2014053893.tif 000053
【図１２】
2014053893.tif 000054
【図１３】
2014053893.tif 000055